(57)【特許請求の範囲】
【請求項１】
ソースセルからターゲットセルへの段階的再構成を実行するように構成された無線送受信ユニット（ＷＴＲＵ）であって、前記ＷＴＲＵは、最初に前記ソースセルに接続され、前記ＷＴＲＵは、
送受信機に動作可能に結合されたプロセッサ
を備え、
前記プロセッサおよび送受信機は、
前記ソースセルとともに機能の第１のセットを実行し、
事前構成された段階的導入トリガ条件のセット、および事前構成された段階的中止トリガ条件のセットについて監視し、前記事前構成された段階的導入トリガ条件のセットは、利用可能になっている前記ターゲットセルにおけるアップリンク（ＵＬ）リソースを含んでおり、
前記ソースセルとともに前記機能の第１のセットを実行し続けながら、前記事前構成された段階的導入トリガ条件のセットのうちの少なくとも１つの検出に基づいて、前記ターゲットセルとともに機能の第２のセットを実行し、前記機能の第１のセットおよび前記機能の第２のセットはＵＬデータを送信することを含んでおり、
前記事前構成された段階的中止トリガ条件のセットのうちの少なくとも１つの検出に基づいて、前記ソースセルとともに前記機能の第１のセットの少なくともサブセットを実行することを止める
ように構成された
ＷＴＲＵ。
【請求項２】
前記プロセッサおよび送受信機は、前記ソースセルから、少なくとも１つの制御メッセージで、前記事前構成された段階的導入トリガ条件のセット、および前記事前構成された段階的中止トリガ条件のセットを受信するようにさらに構成された請求項１に記載のＷＴＲＵ。
【請求項３】
前記プロセッサおよび送受信機は、前記ＷＴＲＵが、前記ソースセルおよび前記ターゲットセルからの送信を同時に受信および処理することができるとき、実現可能性通知を送信するようにさらに構成された請求項１に記載のＷＴＲＵ。
【請求項４】
前記機能の第１のセットおよび前記機能の第２のセットの各々は、以下の機能、すなわち、ＵＬグラントについて監視すること、スケジューリング要求（ＳＲ）を監視すること、バッファステータス報告（ＢＳＲ）について監視すること、チャネル品質インジケータ（ＣＱＩ）情報を送信すること、ダウンリンク（ＤＬ）グラントについて監視すること、ＤＬもしくはデータについて監視すること、ＵＬ肯定応答／否定応答（ＡＣＫ／ＮＡＣＫ）を送信すること、シグナリング無線ベアラ（ＳＲＢ）を送信すること、不連続受信（ＤＲＸ）モードに入ること、無線リンク監視（ＲＬＭ）を実行すること、システム情報（ｓｙｓｉｎｆｏ）を更新すること、またはページングについて監視することのうちの少なくとも１つをさらに含む請求項１に記載のＷＴＲＵ。
【請求項５】
前記事前構成された段階的導入トリガ条件のセットは、以下の機能、すなわち、前記ターゲットセルにおけるＵＬリソースが利用可能になること、ＵＬデータが前記ターゲットセルにおける送信のために利用可能であること、または少なくとも１つのシグナリング無線ベアラ（ＳＲＢ）が前記ターゲットセルにおいて確立されることのうちの少なくとも１つをさらに含む請求項１に記載のＷＴＲＵ。
【請求項６】
前記事前構成された段階的中止トリガ条件のセットは、前記ソースセルのためのすべての保留中スナップショットデータが送信されたこと、前記ソースセルにおけるＵＬリソースが解放されたこと、前記ソースセルへの機能を打ち切る旨の明示的なインジケーションが受信されたこと、前記ソースセルにおけるパケット遅延が閾値を上回ったこと、前記ソースセルにおける再送の回数が閾値を上回ったこと、前記ソースセルにおけるダウンリンク（ＤＬ）否定応答（ＮＡＣＫ）の数が閾値を上回ったこと、「ＤＬの終り」パケットマーカが前記ソースセルから受信されたこと、前記ソースセルにおけるＤＬ監視が停止されたこと、またはシグナリング無線ベアラ１（ＳＲＢ１）／シグナリング無線ベアラ２（ＳＲＢ２）が前記ソースセルにおいて解放もしくは一時中断されたことを含む請求項１に記載のＷＴＲＵ。
【請求項７】
前記プロセッサおよび送受信機は、以下の条件、すなわち、前記ＷＴＲＵが前記ソースセルにおいてもはやＵＬ時間整合していないこと、基準信号測定に基づいた前記ソースセルのセル品質が閾値を下回ったこと、または無線リンク障害（ＲＬＦ）が前記ソースセルにおいて発生したことのうちの少なくとも１つが、真であるとき、前記ソースセルにおいてＵＬリソースを解放するようにさらに構成される請求項１に記載のＷＴＲＵ。
【請求項８】
前記プロセッサおよび送受信機は、前記ソースセルとともに第１のプライマリシグナリング無線ベアラ（ＳＲＢ）を一時中断し、事前構成された条件の第３のセットのうちの少なくとも１つに基づいて、前記ターゲットセルとともに第２のプライマリＳＲＢを確立するようにさらに構成され、前記事前構成された条件の第３のセットは、前記ターゲットセルにおけるランダムアクセス手順を完了することを含む請求項１に記載のＷＴＲＵ。
【請求項９】
前記プロセッサおよび送受信機は、
前記ターゲットセルとともに前記第２のプライマリＳＲＢがひとたび確立されたとき、前記ソースセルとともに前記第１のプライマリＳＲＢを除去し、
役割変更インジケーション制御メッセージを前記ターゲットセルに送信する
ようにさらに構成される請求項８に記載のＷＴＲＵ。
【請求項１０】
前記プロセッサおよび送受信機は、前記ソースセルとともに少なくとも１つのプライマリシグナリング無線ベアラ（ＳＲＢ）を維持し、事前構成された条件の第３のセットのうちの少なくとも１つに基づいて、前記ターゲットセルとともに一時的なセカンダリＳＲＢを確立するようにさらに構成され、前記事前構成された条件の第３のセットは、ＵＬリソースが前記ターゲットセルにおいて利用可能になったことを含む請求項１に記載のＷＴＲＵ。
【請求項１１】
ソースセルからターゲットセルへの段階的再構成のために無線送受信ユニット（ＷＴＲＵ）によって実行される方法であって、前記ＷＴＲＵは、最初に前記ソースセルに接続され、前記方法は、
前記ソースセルとともに機能の第１のセットを実行するステップと、
事前構成された段階的導入トリガ条件のセット、および事前構成された段階的中止トリガ条件のセットについて監視するステップであって、前記事前構成された段階的導入トリガ条件のセットは、利用可能になっている前記ターゲットセルにおけるアップリンク（ＵＬ）リソースを含んでいるステップと、
前記ソースセルとともに前記機能の第１のセットを実行し続けながら、前記事前構成された段階的導入トリガ条件のセットのうちの少なくとも１つの検出に基づいて、前記ターゲットセルとともに機能の第２のセットを実行するステップであって、前記機能の第１のセットおよび前記機能の第２のセットはＵＬデータを送信することを含んでいるステップと、
前記事前構成された段階的中止トリガ条件のセットのうちの少なくとも１つの検出に基づいて、前記ソースセルとともに前記機能の第１のセットの少なくともサブセットを実行することを止めるステップと
を備える方法。
【請求項１２】
前記ソースセルから、少なくとも１つの制御メッセージで、前記事前構成された段階的導入トリガ条件のセット、および前記事前構成された段階的中止トリガ条件のセットを受信するステップ
をさらに備える請求項１１に記載の方法。
【請求項１３】
前記ＷＴＲＵが、前記ソースセルおよび前記ターゲットセルからの送信を同時に受信および処理することができるとき、実現可能性通知を送信するステップ
をさらに備える請求項１１に記載の方法。
【請求項１４】
前記機能の第１のセットおよび前記機能の第２のセットの各々は、以下の機能、すなわち、ＵＬグラントについて監視すること、スケジューリング要求（ＳＲ）を監視すること、バッファステータス報告（ＢＳＲ）について監視すること、チャネル品質インジケータ（ＣＱＩ）情報を送信すること、ダウンリンク（ＤＬ）グラントについて監視すること、ＤＬもしくはデータについて監視すること、ＵＬ肯定応答／否定応答（ＡＣＫ／ＮＡＣＫ）を送信すること、シグナリング無線ベアラ（ＳＲＢ）を送信すること、不連続受信（ＤＲＸ）モードに入ること、無線リンク監視（ＲＬＭ）を実行すること、システム情報（ｓｙｓｉｎｆｏ）を更新すること、またはページングについて監視することのうちの少なくとも１つをさらに含む請求項１１に記載の方法。
【請求項１５】
前記事前構成された段階的導入トリガ条件のセットは、以下の機能、すなわち、前記ターゲットセルにおけるＵＬリソースが利用可能になること、ＵＬデータが前記ターゲットセルにおける送信のために利用可能であること、または少なくとも１つのシグナリング無線ベアラ（ＳＲＢ）が前記ターゲットセルにおいて確立されることのうちの少なくとも１つをさらに含む請求項１１に記載の方法。
【請求項１６】
前記事前構成された段階的中止トリガ条件のセットは、前記ソースセルのためのすべての保留中スナップショットデータが送信されたこと、前記ソースセルにおけるＵＬリソースが解放されたこと、前記ソースセルへの機能を打ち切る旨の明示的なインジケーションが受信されたこと、前記ソースセルにおけるパケット遅延が閾値を上回ったこと、前記ソースセルにおける再送の回数が閾値を上回ったこと、前記ソースセルにおけるダウンリンク（ＤＬ）否定応答（ＮＡＣＫ）の数が閾値を上回ったこと、「ＤＬの終り」パケットマーカが前記ソースセルから受信されたこと、前記ソースセルにおけるＤＬ監視が停止されたこと、またはシグナリング無線ベアラ１（ＳＲＢ１）／シグナリング無線ベアラ２（ＳＲＢ２）が前記ソースセルにおいて解放もしくは一時中断されたことを含む請求項１１に記載の方法。
【請求項１７】
以下の条件、すなわち、前記ＷＴＲＵが前記ソースセルにおいてもはやＵＬ時間整合していないこと、基準信号測定に基づいた前記ソースセルのセル品質が閾値を下回ったこと、または無線リンク障害（ＲＬＦ）が前記ソースセルにおいて発生したことのうちの少なくとも１つが、真であるとき、前記ソースセルにおいてＵＬリソースを解放するステップ
をさらに備える請求項１１に記載の方法。
【請求項１８】
前記ソースセルとともに第１のプライマリシグナリング無線ベアラ（ＳＲＢ）を一時中断し、事前構成された条件の第３のセットのうちの少なくとも１つに基づいて、前記ターゲットセルとともに第２のプライマリＳＲＢを確立するステップであって、前記事前構成された条件の第３のセットは、前記ターゲットセルにおけるランダムアクセス手順を完了することを含む、ステップ
をさらに備える請求項１１に記載の方法。
【請求項１９】
前記ターゲットセルとともに前記第２のプライマリＳＲＢがひとたび確立されたとき、前記ソースセルとともに前記第１のプライマリＳＲＢを除去するステップと、
役割変更インジケーション制御メッセージを前記ターゲットセルに送信するステップと
をさらに備える請求項１８に記載の方法。
【請求項２０】
前記ソースセルとともに少なくとも１つのプライマリシグナリング無線ベアラ（ＳＲＢ）を維持し、事前構成された条件の第３のセットのうちの少なくとも１つに基づいて、前記ターゲットセルとともに一時的なセカンダリＳＲＢを確立するステップであって、前記事前構成された条件の第３のセットは、ＵＬリソースが前記ターゲットセルにおいて利用可能になったことを含む、ステップ
をさらに備える請求項１１に記載の方法。
【発明の詳細な説明】
【技術分野】
【０００１】
本発明は、無線システムにおける段階的再構成のためのシステムおよび方法に関する。
【背景技術】
【０００２】
本出願は、２０１７年３月２２日に出願された米国仮出願第６２／４７４９６２号明細書、および２０１７年９月２６日に出願された米国仮出願第６２／５６３４４５号明細書の利益を主張し、それらの内容は、参照によって本明細書に組み込まれる。
【０００３】
モバイル通信は、数世代にわたる技術仕様を通して進歩してきた。新しい使用事例は、一般に、５Ｇなど各新世代のための要件を定めることに貢献する。５Ｇシステムのための新しい使用事例は、すでに利用可能なものとは技術要件が異なる、任意の事例であることができる。例の非限定的なリストは、改善されたブロードバンド性能（ＩＢＢ）、産業用制御および通信（ＩＣＣ）、自動車用アプリケーション（Ｖ２Ｘ）、ならびに大規模マシンタイプコミュニケーション（ｍＭＴＣ）である。
【発明の概要】
【発明が解決しようとする課題】
【０００４】
５Ｇシステムについては、新しい使用事例の新しい技術要求に対処するために、ニューラジオ（ＮＲ）無線インターフェースおよびアクセス技術を定義する必要がある。
【課題を解決するための手段】
【０００５】
無線通信システムにおいて段階的再構成(Phased Reconfiguration)を実行するシステムおよび方法が、開示される。無線送受信ユニット（ＷＴＲＵ）は、ソースセルからターゲットセルへの段階的再構成を実行することができる。ＷＴＲＵは、最初、ソースセルに接続することができ、ソースセル向けの機能の第１のセットを実行することができる。ＷＴＲＵは、事前構成されたトリガ条件の第１のセット（段階的導入トリガPhase-in triggers）と、事前構成されたトリガ条件の第２のセット（段階的中止トリガPhase-out triggers）について監視する(monitor)ことができる。ＷＴＲＵは、ソースセル向けの機能の第１のセットを実行し続けながら、事前構成されたトリガ条件の第１のセットのうちの少なくとも１つの検出に基づいて、ターゲットセル向けの機能の第２のセットを開始することができる。ＷＴＲＵは、事前構成されたトリガ条件の第２のセットのうちの少なくとも１つの検出に基づいて、ソースセル向けの機能の第１のセットの少なくともサブセットを実行することを止めることができる。ソースセルおよびターゲットセル向けの機能のセットは、アップリンク（ＵＬ）データを送信すること、ＵＬグラントについて監視すること、スケジューリング要求（ＳＲ）を監視すること、バッファステータス報告（ＢＳＲ）について監視すること、チャネル品質インジケータ（ＣＱＩ）情報を送信すること、ダウンリンク（ＤＬ）グラントについて監視すること、ＤＬもしくはデータについて監視すること、ＵＬ肯定応答／否定応答（ＡＣＫ／ＮＡＣＫ）を送信すること、シグナリング無線ベアラ（ＳＲＢ）を送信すること、不連続受信（ＤＲＸ）モードに入ること、無線リンク監視（ＲＬＭ）を実行すること、システム情報（ｓｙｓｉｎｆｏ）を更新すること、またはページングについて監視することを含むことができる。段階的導入トリガ(Phase-in triggers)は、ターゲットセルにおけるアップリンク（ＵＬ）リソースが利用可能になること、ＵＬデータが、ターゲットセルにおける送信のために利用可能であること、または少なくとも１つのシグナリング無線ベアラ（ＳＲＢ）がターゲットセルにおいて確立されることを含むことができる。段階的中止トリガ(Phase-out triggers)は、ソースセルのためのすべての保留中スナップショットデータが送信されたこと。ソースセルにおけるＵＬリソースが解放されたこと、ソースセル向けの機能を打ち切る旨の明示的なインジケーションが受信されたこと、ソースセルにおけるパケット遅延が閾値を上回ったこと、ソースセルにおける再送の回数が閾値を上回ったこと、ソースセルにおけるダウンリンク（ＤＬ）否定応答（ＮＡＣＫ）の数が閾値を上回ったこと、「ＤＬの終り(end of DL)」パケットマーカがソースセルから受信されたこと、ソースセルにおけるＤＬ監視が停止されたこと、またはシグナリング無線ベアラ１（ＳＲＢ１）／シグナリング無線ベアラ２（ＳＲＢ２）がソースセルにおいて解放もしくは一時中断されたことを含むことができる。ＷＴＲＵは、以下の条件、すなわち、ＷＴＲＵがソースセルにおいてもはやＵＬ時間整合していないこと、基準信号（reference signal）測定に基づいたソースセルのセル品質が閾値を下回ったこと、または無線リンク障害（ＲＬＦ）がソースセルにおいて発���したことのうちの少なくとも１つが、真であるとき、ソースセルにおいてＵＬリソースを解放することができる。ＷＴＲＵは、ソースセル向けの第１のプライマリＳＲＢを一時中断し、ターゲットセルにおいてランダムアクセス手順を完了することを含むことができる、事前構成された条件の第３のセットのうちの少なくとも１つに基づいて、ターゲットセル向けの第２のプライマリＳＲＢを確立することができる。より詳細な理解は、添付の図面と併せて、例として与えられる、以下の説明から得ることができる。
【図面の簡単な説明】
【０００６】
【図１Ａ】１つまたは複数の開示される実施形態を実施できる、例示的通信システムを示すシステム図である。
【図１Ｂ】実施形態による、図１Ａに示される通信システム内において使用できる、例示的無線送受信ユニット（ＷＴＲＵ）を示すシステム図である。
【図１Ｃ】実施形態による、図１Ａに示される通信システム内で使用できる、例示的無線アクセスネットワークおよび例示的コアネットワークを示すシステム図である。
【図１Ｄ】実施形態による、図１Ａに示される通信システム内で使用できる、さらなる例示的ＲＡＮおよびさらなる例示的ＣＮを示すシステム図である。
【図２】ソースセルからターゲットセルへのＷＴＲＵのための例示的な段階的再構成手順のシグナリング図である。
【図３】ソースセルからターゲットセルへのＷＴＲＵの段階的再構成中における例示的ＳＲＢハンドリング手順のシグナリング図である。
【図４】段階的再構成中におけるＬ２処理の進展を示す、ＷＴＲＵの例示的ＵＰエンティティのプロトコルアーキテクチャ図である。
【図５】段階的再構成中におけるＬ２処理の進展を示す、ＷＴＲＵの別の例示的ＵＰエンティティのプロトコルアーキテクチャ図である。
【図６】ソースセルからターゲットセルへのＷＴＲＵの段階的再構成中に構成される例示的ＵＰエンティティのプロトコルアーキテクチャ図である。
【図７】ソースセルからターゲットセルへのＷＴＲＵの段階的再構成中に構成される例示的ＵＰエンティティのプロトコルアーキテクチャ図である。
【図８】ソースセルからターゲットセルへのＷＴＲＵの段階的再構成中に構成される例示的ＵＰエンティティのプロトコルアーキテクチャ図である。
【発明を実施するための形態】
【０００７】
図１Ａは、１つまたは複数の開示される実施形態を実施することができる、例示的な通信システム１００を示す図である。通信システム１００は、音声、データ、ビデオ、メッセージング、放送などのコンテンツを複数の無線ユーザに提供する、多元接続システムであることができる。通信システム１００は、複数の無線ユーザが、無線帯域幅を含むシステムリソースの共用を通して、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、およびフィルタバンクマルチキャリア（ＦＢＭＣ）など、１つまたは複数のチャネルアクセス方法を利用することができる。
【０００８】
図１Ａに示されるように、通信システム１００は、無線送受信ユニット（ＷＴＲＵ）１０２ａ、１０２ｂ、１０２ｃ、１０２ｄと、ＲＡＮ１０４／１１３と、ＣＮ１０６／１１５と、公衆交換電話網（ＰＳＴＮ）１０８と、インターネット１１０と、他のネットワーク１１２とを含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスであることができる。例として、それのどれもが、「局」および／または「ＳＴＡ」と呼ばれることがある、ＷＴＲＵ１０２ａ、１０２ｂ、１０２ｃ、１０２ｄは、無線信号を送信および／または受信するように構成することができ、ユーザ機器（ＵＥ）、移動局、固定または移動加入者ユニット、サブスクリプションベースのユニット、ページャ、セルラ電話、パーソナルデジタルアシスタント（ＰＤＡ）、スマートフォン、ラップトップ、ネットブック、パーソナルコンピュータ、無線センサ、ホットスポットまたはＭｉ−Ｆｉデバイス、モノのインターネット（ＩｏＴ）デバイス、ウォッチまたは他のウェアラブル、ヘッドマウントディスプレイ（ＨＭＤ）、乗物、ドローン、医療用デバイスおよびアプリケーション（例えば、遠隔手術）、工業用デバイスおよびアプリケーション（例えば、工業用および／または自動化された処理チェーン状況において動作するロボットおよび／または他の無線デバイス）、家電デバイス、ならびに商業用および／または工業用無線ネットワーク上において動作するデバイスなどを含むことができる。ＷＴＲＵ１０２ａ、１０２ｂ、１０２ｃ、１０２ｄのいずれも、交換可能に、ＵＥと呼ばれることがある。
【０００９】
通信システム１００は、基地局１１４ａおよび／または基地局１１４ｂも含むことができる。基地局１１４ａ、１１４ｂの各々は、ＣＮ１０６／１１５、インターネット１１０、および／または他のネットワーク１１２など、１つまたは複数の通信ネットワークへのアクセスを容易にするために、ＷＴＲＵ１０２ａ、１０２ｂ、１０２ｃ、１０２ｄのうちの少なくとも１つと無線でインターフェースをとるように構成された任意のタイプのデバイスであることができる。例として、基地局１１４ａ、１１４ｂは、基地送受信機局（ＢＴＳ）、ノードＢ、ｅノードＢ、ホームノードＢ、ホームｅノードＢ、ｇＮＢ、ＮＲノードＢ、サイトコントローラ、アクセスポイント（ＡＰ）、および無線ルータなどであることができる。基地局１１４ａ、１１４ｂは、各々が、単一の要素として描かれているが、基地局１１４ａ、１１４ｂは、任意の数の相互接続された基地局および／またはネットワーク要素を含むことができることが理解されよう。
【００１０】
基地局１１４ａは、ＲＡＮ１０４／１１３の一部であることができ、ＲＡＮ１０４／１１３は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、１つまたは複数のキャリア周波数上において、無線信号を送信および／または受信するように構成することができる。これらの周波数は、免許要スペクトル、免許不要スペクトル、または免許要スペクトルと免許不要スペクトルとの組み合わせの中にあることができる。セルは、相対的に一定であることができる、または時間とともに変化することができる特定の地理的エリアに、無線サービス用のカバレージを提供することができる。セルは、さらに、セルセクタに分割することができる。例えば、基地局１１４ａと関連付けられたセルは、３つのセクタに分割することができる。したがって、一実施形態においては、基地局１１４ａは、送受信機を３つ、すなわち、セルの各セクタに対して１つずつ含むことができる。実施形態においては、基地局１１４ａは、多入力多出力（ＭＩＭＯ）技術を利用することができ、セルの各セクタに対して複数の送受信機を利用することができる。例えば、所望の空間方向において信号を送信および／または受信するために、ビームフォーミングを使用することができる。
【００１１】
基地局１１４ａ、１１４ｂは、エアインターフェース１１６上において、ＷＴＲＵ１０２ａ、１０２ｂ、１０２ｃ、１０２ｄのうちの１つまたは複数と通信することができ、エアインターフェース１１６は、任意の適切な無線通信リンク（例えば、無線周波（ＲＦ）、マイクロ波、センチメートル波、マイクロメートル波、赤外線（ＩＲ）、紫外線（ＵＶ）、可視光など）であることができる。エアインターフェース１１６は、任意の適切な無線アクセス技術（ＲＡＴ）を使用して、確立することができる。
【００１２】
より具体的には、上で言及されたように、通信システム１００は、多元接続システムであることができ、ＣＤＭＡ、ＴＤＭＡ、ＦＤＭＡ、ＯＦＤＭＡ、およびＳＣ−ＦＤＭＡなど、１つまたは複数のチャネルアクセス方式を利用することができる。例えば、ＲＡＮ１０４／１１３内の基地局１１４ａと、ＷＴＲＵ１０２ａ、１０２ｂ、１０２ｃは、広帯域ＣＤＭＡ（ＷＣＤＭＡ）を使用して、エアインターフェース１１５／１１６／１１７を確立することができる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンク（ＤＬ）パケットアクセス（ＨＳＤＰＡ）、および／または高速アップリンク（ＵＬ）パケットアクセス（ＨＳＵＰＡ）を含むことができる。
【００１３】
実施形態においては、基地局１１４ａと、ＷＴＲＵ１０２ａ、１０２ｂ、１０２ｃは、ロングタームエボリューション（ＬＴＥ）、および／またはＬＴＥアドバンスト（ＬＴＥ−Ａ）、および／またはＬＴＥアドバンストプロ（ＬＴＥ−Ａ  Ｐｒｏ）を使用して、エアインターフェース１１６を確立することができる、進化型ＵＭＴＳ地上無線アクセス（Ｅ−ＵＴＲＡ）などの無線技術を実施することができる。
【００１４】
実施形態においては、基地局１１４ａと、ＷＴＲＵ１０２ａ、１０２ｂ、１０２ｃは、ニューラジオ（ＮＲ）を使用して、エアインターフェース１１６を確立することができる、ＮＲ無線アクセスなどの無線技術を実施することができる。
【００１５】
実施形態においては、基地局１１４ａと、ＷＴＲＵ１０２ａ、１０２ｂ、１０２ｃは、複数の無線アクセス技術を実施することができる。例えば、基地局１１４ａと、ＷＴＲＵ１０２ａ、１０２ｂ、１０２ｃは、例えば、デュアルコネクティビティ（ＤＣ）原理を使用して、ＬＴＥ無線アクセスと、ＮＲ無線アクセスとを一緒に実施することができる。したがって、ＷＴＲＵ１０２ａ、１０２ｂ、１０２ｃによって利用されるエアインターフェースは、複数のタイプの無線アクセス技術、ならびに／または複数のタイプの基地局（例えば、ｅＮＢおよびｇＮＢ）に／から送信される送信によって特徴付けることができる。
【００１６】
他の実施形態においては、基地局１１４ａと、ＷＴＲＵ１０２ａ、１０２ｂ、１０２ｃは、ＩＥＥＥ８０２．１１（すなわち、ワイヤレスフィデリティ（ＷｉＦｉ））、ＩＥＥＥ８０２．１６（すなわち、マイクロ波アクセス用世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭエボリューション用高速データレート（ＥＤＧＥ）、およびＧＳＭ  ＥＤＧＥ（ＧＥＲＡＮ）などの無線技術を実施できる。
【００１７】
図１Ａにおける基地局１１４ｂは、例えば、無線ルータ、ホームノードＢ、ホームｅノードＢ、またはアクセスポイントであることができ、事業所、自宅、乗物、キャンパス、産業用施設、（例えば、ドローンによって使用される）エアコリド、および車道など、局所化されたエリアにおける無線接続性を容易にするために、任意の適切なＲＡＴを利用することができる。一実施形態においては、基地局１１４ｂと、ＷＴＲＵ１０２ｃ、１０２ｄは、ＩＥＥＥ８０２．１１などの無線技術を実施して、無線ローカルエリアネットワーク（ＷＬＡＮ）を確立することができる。実施形態においては、基地局１１４ｂと、ＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態においては、基地局１１４ｂと、ＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセルまたはフェムトセルを確立することができる。図１Ａに示されるように、基地局１１４ｂは、インターネット１１０への直接的な接続を有することができる。したがって、基地局１１４ｂは、ＣＮ１０６／１１５を介してインターネット１１０にアクセスする必要がないことがある。
【００１８】
ＲＡＮ１０４／１１３は、ＣＮ１０６／１１５と通信することができ、ＣＮ１０６／１１５は、音声、データ、アプリケーション、および／またはボイスオーバインターネットプロトコル（ＶｏＩＰ）サービスを、ＷＴＲＵ１０２ａ、１０２ｂ、１０２ｃ、１０２ｄのうちの１つまたは複数に提供するように構成された任意のタイプのネットワークであることができる。データは、異なるスループット要件、遅延要件、エラー耐性要件、信頼性要件、データスループット要件、およびモビリティ要件など、様々なサービス品質（ＱｏＳ）要件を有することができる。ＣＮ１０６／１１５は、呼制御、ビリングサービス、モバイルロケーションベースのサービス、プリペイド発呼、インターネット接続性、ビデオ配信などを提供することができ、および／またはユーザ認証など、高レベルセキュリティ機能を実行することができる。図１Ａには示されていないが、ＲＡＮ１０４／１１３および／またはＣＮ１０６／１１５は、ＲＡＮ１０４／１１３と同じＲＡＴまたは異なるＲＡＴを利用する他のＲＡＮと直接的または間接的通信を行うことができることが理解されよう。例えば、ＮＲ無線技術を利用していることがあるＲＡＮ１０４／１１３に接続されていることに加えて、ＣＮ１０６／１１５は、ＧＳＭ、ＵＭＴＳ、ＣＤＭＡ２０００、ＷｉＭＡＸ、Ｅ−ＵＴＲＡ、またはＷｉＦｉ無線技術を利用する別のＲＡＮ（図示されず）とも通信することができる。
【００１９】
ＣＮ１０６／１１５は、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとしての役割も果たすことができる。ＰＳＴＮ１０８は、基本電話サービスを提供する、回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、および／またはインターネットプロトコル（ＩＰ）など、共通の通信プロトコルを使用する、相互接続されたコンピュータネットワークおよびデバイスの地球規模のシステムを含むことができる。ネットワーク１１２は、他のサービスプロバイダによって所有および／または運営される、有線および／または無線通信ネットワークを含むことができる。例えば、ネットワーク１１２は、ＲＡＮ１０４／１１３と同じＲＡＴまたは異なるＲＡＴを利用することができる１つまたは複数のＲＡＮに接続された、別のＣＮを含むことができる。
【００２０】
通信システム１００内のＷＴＲＵ１０２ａ、１０２ｂ、１０２ｃ、１０２ｄのうちのいくつかまたはすべては、マルチモード機能を含むことができる（例えば、ＷＴＲＵ１０２ａ、１０２ｂ、１０２ｃ、１０２ｄは、異なる無線リンク上において、異なる無線ネットワークと通信するための、複数の送受信機を含むことができる）。例えば、図１Ａに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。
【００２１】
図１Ｂは、例示的なＷＴＲＵ１０２を示すシステム図である。図１Ｂに示されるように、ＷＴＲＵ１０２は、とりわけ、プロセッサ１１８、送受信機１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および／または他の周辺機器１３８を含むことができる。ＷＴＲＵ１０２は、実施形態との整合性を保ちながら、上記の要素の任意のサブコンビネーションを含むことができることが理解されよう。
【００２２】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などであることができる。プロセッサ１１８は、信号符号化、データ処理、電力制御、入力／出力処理、および／またはＷＴＲＵ１０２が無線環境において動作することを可能にする他の任意の機能性を実行することができる。プロセッサ１１８は、送受信機１２０に結合することができ、送受信機１２０は、送信／受信要素１２２に結合することができる。図１Ｂは、プロセッサ１１８と送受信機１２０を別個の構成要素として描いているが、プロセッサ１１８と送受信機１２０は、電子パッケージまたはチップ内に一緒に統合することができることが理解されよう。
【００２３】
送信／受信要素１２２は、エアインターフェース１１６上において、基地局（例えば、基地局１１４ａ）に信号を送信し、または基地局から信号を受信するように構成することができる。例えば、一実施形態においては、送信／受信要素１２２は、ＲＦ信号を送信および／または受信するように構成されたアンテナであることができる。実施形態においては、送信／受信要素１２２は、例えば、ＩＲ、ＵＶ、または可視光信号を送信および／または受信するように構成された放射器／検出器であることができる。また別の実施形態においては、送信／受信要素１２２は、ＲＦ信号および光信号の両方を送信および／または受信するように構成することができる。送信／受信要素１２２は、無線信号の任意の組み合わせを送信および／または受信するように構成することができることが理解されよう。
【００２４】
図１Ｂにおいては、送信／受信要素１２２は、単一の要素として描かれているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１６上において無線信号を送信および受信するための２つ以上の送信／受信要素１２２（例えば、複数のアンテナ）を含むことができる。
【００２５】
送受信機１２０は、送信／受信要素１２２によって送信されることになる信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＮＲおよびＩＥＥＥ８０２．１１など、複数のＲＡＴを介して通信することを可能にするための、複数の送受信機を含むことができる。
【００２６】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリから情報を入手することができ、それらにデータを記憶することができる。
【００２７】
プロセッサ１１８は、電源１３４から電力を受け取ることができ、ＷＴＲＵ１０２内の他の構成要素に電力を分配するように、および／またはそれらへの電力を制御するように構成することができる。電源１３４は、ＷＴＲＵ１０２に給電するための任意の適切なデバイスであることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウム−イオン（Ｌｉ−ｉｏｎ）など）、太陽電池、および燃料電池などを含むことができる。
【００２８】
プロセッサ１１８は、ＧＰＳチップセット１３６にも結合することができ、ＧＰＳチップセット１３６は、ＷＴＲＵ１０２の現在ロケーションに関するロケーション情報（例えば、経度および緯度）を提供するように構成することができる。ＧＰＳチップセット１３６からの情報に加えて、またはそれの代わりに、ＷＴＲＵ１０２は、基地局（例えば、基地局１１４ａ、１１４ｂ）からエアインターフェース１１６上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定方法を用いて、ロケーション情報を獲得することができることが理解されよう。
【００２９】
プロセッサ１１８は、さらに他の周辺機器１３８に結合することができ、他の周辺機器１３８は、追加の特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真および／またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ、仮想現実および／または拡張現実（ＶＲ／ＡＲ）デバイス、ならびにアクティビティトラッカなどを含むことができる。周辺機器１３８は、１つまたは複数のセンサを含むことができ、センサは、ジャイロスコープ、加速度計、ホール効果センサ、磁力計、方位センサ、近接センサ、温度センサ、時間センサ、ジオロケーションセンサ、高度計、光センサ、タッチセンサ、気圧計、ジェスチャセンサ、バイオメトリックセンサ、および／または湿度センサのうちの１つまたは複数であることができる。
【００３０】
ＷＴＲＵ１０２は、（例えば、（例えば、送信用の）ＵＬと（例えば、受信用の）ダウンリンク（ＤＬ）の両方のための特定のサブフレームと関連付けられた）信号のいくつかまたはすべての送信および受信が、並列および／または同時であることができる、全二重無線を含むことができる。全二重無線は、ハードウェア（例えば、チョーク）を介して、またはプロセッサ（例えば、別個のプロセッサ（図示されず）もしくはプロセッサ１１８）を介する信号処理を介して、自己干渉を低減させ、および／または実質的に除去するために、干渉管理ユニット１３９を含むことができる。実施形態においては、ＷＴＲＵ１０２は、（例えば、（例えば、送信用の）ＵＬまたは（例えば、受信用の）ＤＬのどちらかのための特定のサブフレームと関連付けられた）信号のいくつかまたはすべての送信および受信のための、半二重無線を含むことができる。
【００３１】
図１Ｃは、実施形態に従った、ＲＡＮ１０４およびＣＮ１０６を示すシステム図である。上で言及されたように、ＲＡＮ１０４は、Ｅ−ＵＴＲＡ無線技術を利用して、エアインターフェース１１６上において、ＷＴＲＵ１０２ａ、１０２ｂ、１０２ｃと通信することができる。ＲＡＮ１０４は、ＣＮ１０６とも通信することができる。
【００３２】
ＲＡＮ１０４は、ｅノードＢ１６０ａ、１６０ｂ、１６０ｃを含むことができるが、ＲＡＮ１０４は、実施形態との整合性を保ちながら、任意の数のｅノードＢを含むことができることが理解されよう。ｅノードＢ１６０ａ、１６０ｂ、１６０ｃは、各々が、エアインターフェース１１６上においてＷＴＲＵ１０２ａ、１０２ｂ、１０２ｃと通信するための、１つまたは複数の送受信機を含むことができる。一実施形態においては、ｅノードＢ１６０ａ、１６０ｂ、１６０ｃは、ＭＩＭＯ技術を実施することができる。したがって、ｅノードＢ１６０ａは、例えば、複数のアンテナを使用して、ＷＴＲＵ１０２ａに無線信号を送信し、および／またはＷＴＲＵ１０２ａから無線信号を受信することができる。
【００３３】
ｅノードＢ１６０ａ、１６０ｂ、１６０ｃの各々は、特定のセル（図示されず）と関連付けることができ、無線リソース管理決定、ハンドオーバ決定、ならびにＵＬおよび／またはＤＬにおけるユーザのスケジューリングなどを処理するように構成することができる。図１Ｃに示されるように、ｅノードＢ１６０ａ、１６０ｂ、１６０ｃは、Ｘ２インターフェース上において、互いに通信することができる。
【００３４】
図１Ｃに示されるＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（またはＰＧＷ）１６６とを含むことができる。上記の要素の各々は、ＣＮ１０６の部分として描かれているが、これらの要素のうちのいずれも、ＣＮオペレータとは異なるエンティティによって所有および／または運営することができることが理解されよう。
【００３５】
ＭＭＥ１６２は、Ｓ１インターフェースを介して、ＲＡＮ１０４内のｅノードＢ１６０ａ、１６０ｂ、１６０ｃの各々に接続することができ、制御ノードとしての役割を果たすことができる。例えば、ＭＭＥ１６２は、ＷＴＲＵ１０２ａ、１０２ｂ、１０２ｃのユーザを認証すること、ベアラアクティブ化／非アクティブ化、およびＷＴＲＵ１０２ａ、１０２ｂ、１０２ｃの初期アタッチ中に特定のサービングゲートウェイを選択することなどを担うことができる。ＭＭＥ１６２は、ＲＡＮ１０４と、ＧＳＭおよび／またはＷＣＤＭＡなどの他の無線技術を利用する他のＲＡＮ（図示されず）との間における交換のためのコントロールプレーン機能を提供することができる。
【００３６】
ＳＧＷ１６４は、Ｓ１インターフェースを介して、ＲＡＮ１０４内のｅノードＢ１６０ａ、１６０ｂ、１６０ｃの各々に接続することができる。ＳＧＷ１６４は、一般に、ユーザデータパケットをＷＴＲＵ１０２ａ、１０２ｂ、１０２ｃに／からルーティングおよび転送することができる。ＳＧＷ１６４は、ｅノードＢ間ハンドオーバ中にユーザプレーンをアンカリングすること、ＤＬデータがＷＴＲＵ１０２ａ、１０２ｂ、１０２ｃに利用可能なときにページングをトリガすること、ならびにＷＴＲＵ１０２ａ、１０２ｂ、１０２ｃのコンテキストを管理および記憶することなど、他の機能を実行することができる。
【００３７】
ＳＧＷ１６４は、ＰＧＷ１６６に接続することができ、ＰＧＷ１６６は、インターネット１１０など、パケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３８】
ＣＮ１０６は、他のネットワークとの通信を容易にすることができる。例えば、ＣＮ１０６は、ＰＳＴＮ１０８など、回線交換ネットワークへのアクセスをＷＴＲＵ１０２ａ、１０２ｂ、１０２ｃに提供して、ＷＴＲＵ１０２ａ、１０２ｂ、１０２ｃと従来の固定電話回線通信デバイスとの間の通信を容易にすることができる。例えば、ＣＮ１０６は、ＣＮ１０６とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、ＣＮ１０６は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。
【００３９】
図１Ａ〜図１Ｄにおいては、ＷＴＲＵは、無線端末として説明されるが、ある代表的な実施形態においては、そのような端末は、通信ネットワークとの有線通信インターフェースを（例えば、一時的または永続的に）使用することができることが企図されている。
【００４０】
代表的な実施形態においては、他のネットワーク１１２は、ＷＬＡＮであることができる。
【００４１】
インフラストラクチャ基本サービスセット（ＢＳＳ）モードにあるＷＬＡＮは、ＢＳＳのためのアクセスポイント（ＡＰ）と、ＡＰと関連付けられた１つまたは複数の局（ＳＴＡ）とを有することができる。ＡＰは、トラフィックをＢＳＳ内および／またはＢＳＳ外に搬送する、ディストリビューションシステム（ＤＳ）または別のタイプの有線／無線ネットワークへのアクセスまたはインターフェースを有することができる。ＢＳＳ外部から発信されたＳＴＡへのトラフィックは、ＡＰを通って到着することができ、ＳＴＡに配送することができる。ＳＴＡからＢＳＳ外部の送信先に発信されたトラフィックは、それぞれの送信先に配送するために、ＡＰに送信することができる。ＢＳＳ内のＳＴＡ間のトラフィックは、ＡＰを通って送信することができ、例えば、送信元ＳＴＡは、トラフィックをＡＰに送信することができ、ＡＰは、トラフィックを送信先ＳＴＡに配送することができる。ＢＳＳ内のＳＴＡ間のトラフィックは、ピアツーピアトラフィックと見なすことができ、および／またはピアツーピアトラフィックと呼ばれることがある。ピアツーピアトラフィックは、直接リンクセットアップ（ＤＬＳ）を用いて、送信元ＳＴＡと送信先ＳＴＡとの間で（例えば、直接的に）送信することができる。ある代表的な実施形態においては、ＤＬＳは、８０２．１１ｅ  ＤＬＳまたは８０２．１１ｚトンネルＤＬＳ（ＴＤＬＳ）を使用することができる。独立ＢＳＳ（ＩＢＳＳ）モードを使用するＷＬＡＮは、ＡＰを有さないことがあり、ＩＢＳＳ内の、またはＩＢＳＳを使用するＳＴＡ（例えば、ＳＴＡのすべて）は、互いに直接的に通信することができる。ＩＢＳＳモードの通信は、本明細書においては、ときに「アドホック」モードの通信と呼ばれることがある。
【００４２】
８０２．１１ａｃインフラストラクチャモードの動作または類似したモードの動作を使用するとき、ＡＰは、プライマリチャネルなどの固定されたチャネル上において、ビーコンを送信することができる。プライマリチャネルは、固定された幅（例えば、２０ＭＨｚ幅帯域幅）、またはシグナリングを介して動的に設定された幅であることができる。プライマリチャネルは、ＢＳＳの動作チャネルであることができ、ＡＰとの接続を確立するために、ＳＴＡによって使用することができる。ある代表的な実施形態においては、例えば８０２．１１システムにおいては、キャリアセンス多重アクセス／衝突回避（ＣＳＭＡ／ＣＡ）を実施できる。ＣＳＭＡ／ＣＡの場合、ＡＰを含むＳＴＡ（例えば、あらゆるＳＴＡ）は、プライマリチャネルをセンスすることができる。プライマリチャネルが、センス／検出され、および／または特定のＳＴＡによってビジーであると決定された場合、特定のＳＴＡは、バックオフすることができる。与えられたＢＳＳ内においては、任意の与えられた時間に、１つのＳＴＡ（例えば、ただ１つの局）が、送信することができる。
【００４３】
高スループット（ＨＴ）ＳＴＡは、例えば、プライマリ２０ＭＨｚチャネルを隣接または非隣接２０ＭＨｚチャネルと組み合わせて、４０ＭＨｚ幅のチャネルを形成することを介して、通信のために４０ＭＨｚ幅チャネルを使用することができる。
【００４４】
超高スループット（ＶＨＴ）ＳＴＡは、２０ＭＨｚ、４０ＭＨｚ、８０ＭＨｚ、および／または１６０ＭＨｚ幅チャネルをサポートすることができる。４０ＭＨｚおよび／または８０ＭＨｚチャネルは、連続する２０ＭＨｚチャネルを組み合わせることによって形成することができる。１６０ＭＨｚチャネルは、８つの連続する２０ＭＨｚチャネルを組み合わせることによって形成することができ、または２つの非連続な８０ＭＨｚチャネルを組み合わせることによって形成することができ、これは、８０＋８０構成と呼ばれることがある。８０＋８０構成の場合、データは、チャネルエンコーディングの後、データを２つのストリームに分割することができるセグメントパーサを通過することができる。各ストリームに対して別々に、逆高速フーリエ変換（ＩＦＦＴ）処理、および時間領域処理を行うことができる。ストリームは、２つの８０ＭＨｚチャネル上にマッピングすることができ、データは、送信ＳＴＡによって送信することができる。受信ＳＴＡの受信機においては、８０＋８０構成のための上で説明された動作を逆転することができ、組み合わされたデータは、媒体アクセス制御（ＭＡＣ）に送信することができる。
【００４５】
１ＧＨｚ未満モードの動作は、８０２．１１ａｆおよび８０２．１１ａｈによってサポートされる。チャネル動作帯域幅およびキャリアは、８０２．１１ｎおよび８０２．１１ａｃにおいて使用されるそれらと比べて、８０２．１１ａｆおよび８０２．１１ａｈにおいては低減させられる。８０２．１１ａｆは、ＴＶホワイトスペース（ＴＶＷＳ）スペクトルにおいて、５ＭＨｚ、１０ＭＨｚ、および２０ＭＨｚ帯域幅をサポートし、８０２．１１ａｈは、非ＴＶＷＳスペクトルを使用して、１ＭＨｚ、２ＭＨｚ、４ＭＨｚ、８ＭＨｚ、および１６ＭＨｚ帯域幅をサポートする。代表的な実施形態に従うと、８０２．１１ａｈは、マクロカバレージエリアにおけるＭＴＣデバイスなど、メータタイプ制御／マシンタイプコミュニケーションをサポートすることができる。ＭＴＣデバイスは、一定の機能を、例えば、一定の帯域幅および／または限られた帯域幅のサポート（例えば、それらのサポートだけ）を含む限られた機能を有することができる。ＭＴＣデバイスは、（例えば、非常に長いバッテリ寿命を維持するために）閾値を上回るバッテリ寿命を有するバッテリを含むことができる。
【００４６】
８０２．１１ｎ、８０２．１１ａｃ、８０２．１１ａｆ、および８０２．１１ａｈなど、複数のチャネルおよびチャネル帯域幅をサポートすることができる、ＷＬＡＮシステムは、プライマリチャネルとして指定することができるチャネルを含む。プライマリチャネルは、ＢＳＳ内のすべてのＳＴＡによってサポートされる最大の共通動作帯域幅に等しい帯域幅を有することができる。プライマリチャネルの帯域幅は、ＢＳＳ内において動作するすべてのＳＴＡの中の、最小帯域幅動作モードをサポートするＳＴＡによって設定および／または制限することができる。８０２．１１ａｈの例においては、ＢＳＳ内のＡＰおよび他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（例えば、それだけをサポートする）ＳＴＡ（例えば、ＭＴＣタイプデバイス）のために、プライマリチャネルは、１ＭＨｚ幅であることがある。キャリアセンシングおよび／またはネットワークアロケーションベクトル（ＮＡＶ）設定は、プライマリチャネルのステータスに依存することができる。例えば、（１ＭＨｚ動作モードだけをサポートする）ＳＴＡが、ＡＰに送信しているせいで、プライマリチャネルが、ビジーである場合、周波数バンドの大部分が、アイドルのままであり、利用可能であることがあるとしても、利用可能な周波数バンド全体が、ビジーと見なされることがある。
【００４７】
米国においては、８０２．１１ａｈによって使用することができる利用可能な周波数バンドは、９０２ＭＨｚから９２８ＭＨｚである。韓国においては、利用可能な周波数バンドは、９１７．５ＭＨｚから９２３．５ＭＨｚである。日本においては、利用可能な周波数バンドは、９１６．５ＭＨｚから９２７．５ＭＨｚである。８０２．１１ａｈのために利用可能な合計帯域幅は、国の規則に応じて、６ＭＨｚから２６ＭＨｚである。
【００４８】
図１Ｄは、実施形態に従った、ＲＡＮ１１３およびＣＮ１１５を示すシステム図である。上で言及されたように、ＲＡＮ１１３は、ＮＲ無線技術を利用して、エアインターフェース１１６上において、ＷＴＲＵ１０２ａ、１０２ｂ、１０２ｃと通信することができる。ＲＡＮ１１３は、ＣＮ１１５とも通信することができる。
【００４９】
ＲＡＮ１１３は、ｇＮＢ１８０ａ、１８０ｂ、１８０ｃを含むことができるが、ＲＡＮ１１３は、実施形態との整合性を保ちながら、任意の数のｇＮＢを含むことができることが理解されよう。ｇＮＢ１８０ａ、１８０ｂ、１８０ｃは、各々が、エアインターフェース１１６上においてＷＴＲＵ１０２ａ、１０２ｂ、１０２ｃと通信するための、１つまたは複数の送受信機を含むことができる。一実施形態においては、ｇＮＢ１８０ａ、１８０ｂ、１８０ｃは、ＭＩＭＯ技術を実施することができる。例えば、ｇＮＢ１８０ａ、１０８ｂは、ビームフォーミングを利用して、ｇＮＢ１８０ａ、１８０ｂ、１８０ｃに信号を送信し、および／またはｇＮＢ１８０ａ、１８０ｂ、１８０ｃから信号を受信することができる。したがって、ｇＮＢ１８０ａは、例えば、複数のアンテナを使用して、ＷＴＲＵ１０２ａに無線信号を送信し、および／またはＷＴＲＵ１０２ａから無線信号を受信することができる。実施形態においては、ｇＮＢ１８０ａ、１８０ｂ、１８０ｃは、キャリアアグリゲーション技術を実施することができる。例えば、ｇＮＢ１８０ａは、ＷＴＲＵ１０２ａに複数のコンポーネントキャリアを送信することができる（図示されず）。これらのコンポーネントキャリアのサブセットは、免許不要スペクトル上にあることができるが、残りのコンポーネントキャリアは、免許要スペクトル上にあることができる。実施形態においては、ｇＮＢ１８０ａ、１８０ｂ、１８０ｃは、多地点協調（ＣｏＭＰ）技術を実施することができる。例えば、ＷＴＲＵ１０２ａは、ｇＮＢ１８０ａとｇＮＢ１８０ｂ（および／またはｇＮＢ１８０ｃ）から調整された送信を受信することができる。
【００５０】
ＷＴＲＵ１０２ａ、１０２ｂ、１０２ｃは、スケーラブルなヌメロロジ（ｎｕｍｅｒｏｌｏｇｙ）と関連付けられた送信を使用して、ｇＮＢ１８０ａ、１８０ｂ、１８０ｃと通信することができる。例えば、ＯＦＤＭシンボル間隔、および／またはＯＦＤＭサブキャリア間隔は、異なる送信、異なるセル、および／または無線送信スペクトルの異なる部分ごとに様々であることができる。ＷＴＲＵ１０２ａ、１０２ｂ、１０２ｃは、（例えば、様々な数のＯＦＤＭシンボルを含む、および／または様々な長さの絶対時間だけ持続する）様々なまたはスケーラブルな長さのサブフレームまたは送信時間間隔（ＴＴＩ）を使用して、ｇＮＢ１８０ａ、１８０ｂ、１８０ｃと通信することができる。
【００５１】
ｇＮＢ１８０ａ、１８０ｂ、１８０ｃは、スタンドアロン構成および／または非スタンドアロン構成で、ＷＴＲＵ１０２ａ、１０２ｂ、１０２ｃと通信するように構成することができる。スタンドアロン構成においては、ＷＴＲＵ１０２ａ、１０２ｂ、１０２ｃは、（例えば、ｅノードＢ１６０ａ、１６０ｂ、１６０ｃなどの）他のＲＡＮにアクセスすることもなしに、ｇＮＢ１８０ａ、１８０ｂ、１８０ｃと通信することができる。スタンドアロン構成においては、ＷＴＲＵ１０２ａ、１０２ｂ、１０２ｃは、ｇＮＢ１８０ａ、１８０ｂ、１８０ｃのうちの１つまたは複数を、モビリティアンカポイントとして利用することができる。スタンドアロン構成においては、ＷＴＲＵ１０２ａ、１０２ｂ、１０２ｃは、免許不要バンド内において信号を使用して、ｇＮＢ１８０ａ、１８０ｂ、１８０ｃと通信することができる。非スタンドアロン構成においては、ＷＴＲＵ１０２ａ、１０２ｂ、１０２ｃは、ｅノードＢ１６０ａ、１６０ｂ、１６０ｃなどの別のＲＡＮとも通信し／別のＲＡＮにも接続しながら、ｇＮＢ１８０ａ、１８０ｂ、１８０ｃと通信し／ｇＮＢ１８０ａ、１８０ｂ、１８０ｃに接続することができる。例えば、ＷＴＲＵ１０２ａ、１０２ｂ、１０２ｃは、ＤＣ原理を実施して、１つまたは複数のｇＮＢ１８０ａ、１８０ｂ、１８０ｃ、および１つまたは複数のｅノードＢ１６０ａ、１６０ｂ、１６０ｃと実質的に同時に通信することができる。非スタンドアロン構成においては、ｅノードＢ１６０ａ、１６０ｂ、１６０ｃは、ＷＴＲＵ１０２ａ、１０２ｂ、１０２ｃのためのモビリティアンカとしての役割を果たすことができ、ｇＮＢ１８０ａ、１８０ｂ、１８０ｃは、ＷＴＲＵ１０２ａ、１０２ｂ、１０２ｃにサービスするための追加のカバレージおよび／またはスループットを提供することができる。
【００５２】
ｇＮＢ１８０ａ、１８０ｂ、１８０ｃの各々は、特定のセル（図示されず）と関連付けることができ、無線リソース管理決定、ハンドオーバ決定、ＵＬおよび／またはＤＬにおけるユーザのスケジューリング、ネットワークスライシングのサポート、デュアルコネクティビティ、ＮＲとＥ−ＵＴＲＡとの間のインターワーキング、ユーザプレーンデータのユーザプレーン機能（ＵＰＦ）１８４ａ、１８４ｂへのルーティング、ならびにコントロールプレーン情報のアクセスおよびモビリティ管理機能（ＡＭＦ）１８２ａ、１８２ｂへのルーティングなどを処理するように構成することができる。図１Ｄに示されるように、ｇＮＢ１８０ａ、１８０ｂ、１８０ｃは、Ｘｎインターフェース上において、互いに通信することができる。
【００５３】
図１Ｄに示されるＣＮ１１５は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、おそらくは、データネットワーク（ＤＮ）１８５ａ、１８５ｂとを含むことができる。上記の要素の各々は、ＣＮ１１５の部分として描かれているが、これらの要素のうちのいずれも、ＣＮオペレータとは異なるエンティティによって所有および／または運営することができることが理解されよう。
【００５４】
ＡＭＦ１８２ａ、１８２ｂは、Ｎ２インターフェースを介して、ＲＡＮ１１３内のｇＮＢ１８０ａ、１８０ｂ、１８０ｃのうちの１つまたは複数に接続することができ、制御ノードとしての役割を果たすことができる。例えば、ＡＭＦ１８２ａ、１８２ｂは、ＷＴＲＵ１０２ａ、１０２ｂ、１０２ｃのユーザを認証すること、ネットワークスライシングのサポート（例えば、異なる要件を有する異なるＰＤＵセッションの処理）、特定のＳＭＦ１８３ａ、１８３ｂを選択すること、レジストレーションエリアの管理、ＮＡＳシグナリングの終了、およびモビリティ管理などを担うことができる。ネットワークスライシングは、ＷＴＲＵ１０２ａ、１０２ｂ、１０２ｃによって利用されるサービスのタイプに基づいて、ＷＴＲＵ１０２ａ、１０２ｂ、１０２ｃに対するＣＮサポートをカスタマイズするために、ＡＭＦ１８２ａ、１８２ｂによって使用することができる。例えば、超高信頼低遅延（ＵＲＬＬＣ）アクセスに依存するサービス、高速大容量モバイルブロードバンド（ｅＭＢＢ）アクセスに依存するサービス、および／またはマシンタイプコミュニケーション（ＭＴＣ）アクセスのためのサービスなど、異なる使用事例のために、異なるネットワークスライスを確立することができる。ＡＭＦ１８２ａ、１８２ｂは、ＲＡＮ１１３と、ＬＴＥ、ＬＴＥ−Ａ、ＬＴＥ−Ａ  Ｐｒｏ、および／またはＷｉＦｉのような非３ＧＰＰアクセス技術など、他の無線技術を利用する他のＲＡＮ（図示されず）との間の交換のためのコントロールプレーン機能を提供することができる。
【００５５】
ＳＭＦ１８３ａ、１８３ｂは、Ｎ１１インターフェースを介して、ＣＮ１１５内のＡＭＦ１８２ａ、１８２ｂに接続することができる。ＳＭＦ１８３ａ、１８３ｂは、Ｎ４インターフェースを介して、ＣＮ１１５内のＵＰＦ１８４ａ、１８４ｂに接続することもできる。ＳＭＦ１８３ａ、１８３ｂは、ＵＰＦ１８４ａ、１８４ｂを選択および制御し、ＵＰＦ１８４ａ、１８４ｂを通したトラフィックのルーティングを構成することができる。ＳＭＦ１８３ａ、１８３ｂは、ＵＥ  ＩＰアドレスの管理および割り当てを行うこと、ＰＤＵセッションを管理すること、ポリシ実施およびＱｏＳを制御すること、ならびにＤＬデータ通知を提供することなど、他の機能を実行することができる。ＰＤＵセッションタイプは、ＩＰベース、非ＩＰベース、およびイーサネットベースなどであることができる。
【００５６】
ＵＰＦ１８４ａ、１８４ｂは、Ｎ３インターフェースを介して、ＲＡＮ１１３内のｇＮＢ１８０ａ、１８０ｂ、１８０ｃのうちの１つまたは複数に接続することができ、それらは、インターネット１１０など、パケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。ＵＰＦ１８４ａ、１８４ｂは、パケットをルーティングおよび転送すること、ユーザプレーンポリシを実施すること、マルチホーミングＰＤＵセッションをサポートすること、ユーザプレーンＱｏＳを処理すること、ＤＬパケットをバッファすること、ならびにモビリティアンカリングを提供することなど、他の機能を実行することができる。
【００５７】
ＣＮ１１５は、他のネットワークとの通信を容易にすることができる。例えば、ＣＮ１１５は、ＣＮ１１５とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、ＣＮ１１５は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。一実施形態においては、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとＤＮ１８５ａ、１８５ｂとの間のＮ６インターフェースを介して、ＵＰＦ１８４ａ、１８４ｂを通して、ローカルデータネットワーク（ＤＮ）１８５ａ、１８５ｂに接続することができる。
【００５８】
図１Ａ〜図１Ｄ、および図１Ａ〜図１Ｄについての対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書において説明される他の任意のデバイスのうちの１つまたは複数に関する、本明細書において説明される機能の１つもしくは複数またはすべては、１つまたは複数のエミュレーションデバイス（図示されず）によって実行することができる。エミュレーションデバイスは、本明細書において説明される機能の１つもしくは複数またはすべてをエミュレートするように構成された、１つまたは複数のデバイスであることができる。例えば、エミュレーションデバイスは、他のデバイスをテストするために、ならびに／またはネットワークおよび／もしくはＷＴＲＵ機能をシミュレートするために、使用することができる。
【００５９】
エミュレーションデバイスは、実験室環境において、および／またはオペレータネットワーク環境において、他のデバイスの１つまたは複数のテストを実施するように設計することができる。例えば、１つまたは複数のエミュレーションデバイスは、通信ネットワーク内の他のデバイスをテストするために、有線および／または無線通信ネットワークの一部として、完全または部分的に実施および／または配備されながら、１つもしくは複数またはすべての機能を実行することができる。１つまたは複数のエミュレーションデバイスは、有線および／または無線通信ネットワークの一部として、一時的に実施／配備されながら、１つもしくは複数またはすべての機能を実行することができる。エミュレーションデバイスは、テストの目的で、別のデバイスに直接的に結合することができ、および／またはオーバザエア無線通信を使用して、テストを実行することができる。
【００６０】
１つまたは複数のエミュレーションデバイスは、有線および／または無線通信ネットワークの一部として実施／配備されずに、すべての機能を含む、１つまたは複数の機能を実行することができる。例えば、エミュレーションデバイスは、１つまたは複数の構成要素のテストを実施するために、テスト実験室、ならびに／または配備されていない（例えば、テスト）有線および／もしくは無線通信ネットワークにおける、テストシナリオにおいて利用することができる。１つまたは複数のエミュレーションデバイスは、テスト機器であることができる。データを送信および／または受信するために、直接ＲＦ結合、および／または（例えば、１つもしくは複数のアンテナを含むことができる）ＲＦ回路を介した無線通信を、エミュレーションデバイスによって使用することができる。
【００６１】
第５世代（５Ｇ）通信システムにおいては、柔軟なニューラジオ（ＮＲ）エアインターフェースを使用することができる。５ＧシステムのためのＮＲエアインターフェースは、改善されたブロードバンド性能（ＩＢＢ）、産業用制御および通信（ＩＣＣ）、車車間／路車間（Ｖ２Ｘ）アプリケーションなどの自動車用アプリケーション、ならびに大規模マシンタイプコミュニケーション（ｍＭＴＣ）などの使用事例を可能にすることができる。そのような使用事例は、５Ｇインターフェースにおける仕様に置き換えることができる。例えば、そのような使用事例をサポートするために、５Ｇインターフェースは、低遅延通信（ＬＬＣ）を含む、超低送信遅延をサポートすることができる。別の例においては、エアインターフェース遅延は、１ｍｓラウンドトリップ時間（ＲＴＴ）ほどの低さであることができ、１００μｓから２５０μｓの間の持続時間を有する送信時間間隔（ＴＴＩ）をサポートすることができる。超低アクセス遅延（例えば、システムアクセス開始から最初のユーザプレーンデータユニットの送信が完了するまでの時間）に対するサポートは、５Ｇシステムにおいて（例えば、ＩＣＣおよびＶ２Ｘにおいて）関心事であることができる。超低アクセス遅延の例は、１０ｍｓのエンドツーエンド（ｅ２ｅ）遅延である。別の例においては、５Ｇインターフェースは、ＬＴＥシステムを用いた場合に可能なものを超える、９９．９９９％の送信成功およびサービス利用可能性に近いような、改善された送信信頼性を提供することによって、超高信頼性送信などの超高信頼性通信（ＵＲＣ）をサポートすることができる。別の検討事項は、０〜５００ｋｍ／ｈの範囲内のスピードのモビリティに対するサポートであることができる。ＩＣＣおよびＶ２Ｘなどのいくつかの使用事例は、１０ｅ−６未満のパケットロス率（ＰＬＲ）を必要とすることがある。
【００６２】
別の例においては、５Ｇインターフェースは、狭帯域動作を含む、ＭＴＣ動作をサポートすることができる。そのような例においては、ＮＲエアインターフェースは、（例えば、２００ＫＨｚ未満を使用する）狭帯域動作、延長されたバッテリ寿命（例えば、最大で１５年の自律性）を効率的にサポートし、および／または少量で頻繁でないデータ送信（例えば、数秒から数時間のアクセス遅延を伴う１〜１００ｋｂｐｓの範囲内の低データレート）のために、最小の通信オーバヘッドを有することができる。
【００６３】
別の例においては、５Ｇインターフェースは、ＬＴＥおよびＩＥＥＥ８０２．１１におけるのと同様に、データ送信のための基本信号フォーマットとして、ＯＦＤＭを使用することができ、ＯＦＤＭは、スペクトルを複数の並列直交サブバンドに効率的に分割する。ＯＦＤＭにおいては、各サブキャリアは、時間領域において、長方形窓を使用して整形することができ、周波数領域において、正弦形状のサブキャリアをもたらす。したがって、ＯＦＤＭＡは、信号間の直交性を維持するために、またキャリア間干渉を最小化するために、完全な周波数同期、およびサイクリックプレフィックスの持続時間内におけるＵＬタイミング整合の厳しい管理を必要とすることがある。そのような厳しい同期は、ＷＴＲＵが同時に複数のアクセスポイントに接続されるシステムにおいては、あまり適していないことがある。特に、ＷＴＲＵの送信のために、断片化されたスペクトルのアグリゲーションが存在するとき、隣接バンドに対するスペクトル放射要件に準拠するために、追加的な電力低減が、ＵＬ送信に適用されることがある。
【００６４】
サイクリックプレフィックス（ＣＰ）に依存する従来のＯＦＤＭ（ＣＰ−ＯＦＤＭ）の短所のいくつかは、特に、アグリゲーションを必要としないことができる大量の連続スペクトルを使用するとき、より厳格な無線フロントエンド（ＲＦ）要件によって対処することができる。ＣＰベースのＯＦＤＭ送信方式は、レガシシステムのそれと類似した、例えば、パイロット信号密度およびロケーションの変更を伴う、５Ｇのためのダウンリンク（ＤＬ）物理レイヤももたらすことができる。したがって、従来のＯＦＤＭは、少なくともＤＬ送信方式については、５Ｇシステムのための可能な候補であり続けるが、提案される５ｇＦＬＥＸ設計は、ＯＦＤＭ以外の波形候補を検討することができる。５ｇＦＬＥＸ無線アクセス設計は、非常に高い程度のスペクトル柔軟性によって特徴付けることができ、それが、異なる複信構成を含む、異なる特性を有する異なる周波数バンドにおける配備、ならびに同じまたは異なるバンドにおける連続および不連続スペクトル割り当てを含む、異なるサイズおよび／または可変サイズの利用可能なスペクトルを可能にする。それは、複数のＴＴＩ長に対するサポート、および非同期送信に対するサポートを含む、可変タイミング態様もサポートすることができる。
【００６５】
別の例においては、５Ｇインターフェースは、時分割複信（ＴＤＤ）方式、および周波数分割複信（ＦＤＤ）方式をサポートすることができる。ＦＤＤ動作については、スペクトルアグリゲーションを使用して、補足的なＤＬ動作をサポートすることができる。ＦＤＤ動作は、全二重ＦＤＤ動作および半二重ＦＤＤ動作の両方をサポートすることができる。ＴＤＤ動作については、ＤＬ／ＵＬ割り当ては、動的であることができ、それは、固定されたＤＬ／ＵＬフレーム構成に基づかないことができ、むしろＤＬまたはＵＬ送信間隔の長さは、送信機会ごとに設定することができる。
【００６６】
５Ｇ通信システムにおいては、ビームフォーミングを使用することもできる。例えば、ビームフォーミングを使用して、より高い周波数（例えば、６ＧＨｚよりも大きい周波数）において増加する経路損失を補償することができる。多数のアンテナ要素を使用して、より高いビームフォーミング利得を達成することができる。アナログおよび／またはハイブリッドビームフォーミングを使用して、実施コストを低減させる（すなわち、ＲＦチェーンの数を低減させる）ことができる。アナログ／ハイブリッドビームは、時間において多重化することができる。例えば、ビームフォーミングを、同期チャネル、物理ブロードキャストチャネル（ＰＢＣＨ）、および／または任意の制御チャネルに適用して、セルワイドなカバレージを提供することができる。本明細書においては、時間および／または周波数および／または空間において多重化された、ビームフォーミングされたチャネルの送信／受信を指して、「ビームスイープ」という用語を使用することがある。
【００６７】
本明細書においては、本明細書において説明される目的のうちの１つまたは複数のために、ＷＴＲＵによって受信および／または送信することができる、任意の信号、プリアンブル、および／またはシステムシグネチャを指して、「基準信号」という用語を使用することがある。例においては、ＤＬおよび／またはＵＬにおけるビーム管理のために、異なる基準信号を定義することができる。例えば、ＤＬビーム管理は、以下の基準信号、すなわち、チャネル状態情報（ＣＳＩ）基準信号（ＣＳＩ−ＲＳ）、復調基準信号（ＤＭＲＳ）、および／または同期信号のうちのいずれかを使用することができるが、それらを使用することに限定されない。別の例においては、ＵＬビーム管理は、以下の基準信号、すなわち、サウンディング基準信号（ＳＲＳ）、ＤＭＲＳ、および／またはランダムアクセスチャネル（ＲＡＣＨ）のうちのいずれかを使用することができるが、それらを使用することに限定されない。
【００６８】
ＬＴＥアドバンストプロおよびニューラジオ（ＮＲ）のさらなる進化版など、次世代エアインターフェースは、低オーバヘッド低データレートの電力効率の良いサービス（例えば、ｍＭＴＣ）、超高信頼低遅延サービス（ＵＲＬＬＣ）、および高データレートモバイルブロードバンドサービス（ｅＭＢＢ）など、様々なサービス要件を有する広範な使用事例をサポートすることができる。この広範な使用は、低電力低帯域幅ＷＴＲＵ、非常に広い帯域幅（例えば、８０ＭＨｚ）が可能なＷＴＲＵ、および／または（例えば、６ＧＨｚよりも大きい）高周波数をサポートすることが可能なＷＴＲＵなど、ＷＴＲＵ能力の多様な選択を用いて実施することができる。さらに、（例えば、静止／一定速度から高速列車までの範囲内の）様々なモビリティシナリオの下で、様々なＷＴＲＵ能力をサポートすることができる。これらの可能性に基づいて、５Ｇシステムは、多様な配備シナリオに適合するのに十分な柔軟性を有するアーキテクチャを使用することができる。柔軟な５Ｇシステムアーキテクチャによってサポートすることができる配備シナリオの例は、以下の配備シナリオ、すなわち、異なるエアインターフェースからの支援を有するスタンドアロン、非スタンドアロンシナリオ、理想的なバックホール上における集中化、仮想化、分散シナリオ、および／または非理想的なバックホール上における分散シナリオを含むことができるが、それらを含むことに限定されない。
【００６９】
遅延クリティカルなサービスをサポートするために、ＮＲエアインターフェースなど、次世代エアインターフェースの目標は、モビリティイベント中の中断時間（すなわち、モビリティ中断時間）を最小化することであることができる。中断時間は、ＷＴＲＵがいずれの基地局ともユーザプレーンパケットを交換することができない時間持続として、定義することができる。モビリティ中断時間は、数１０ミリ秒のオーダであっても、遅延クリティカルなＵＲＬＬＣサービス（例えば、タッチインターネット、産業オートメーション、遠隔手術、拡張現実）については、許容可能または実現可能でないことがある。そのような遅延クリティカルなサービスは、ＮＲシステムについての中断時間において、０ｍｓに近いことができる目標遅延要件の可能性に通じている。サービス中断は、特に、高スループット（ＨＴ）サービスについて、ＴＣＰ性能に対する影響を有することもある。例えば、より大きい中断時間を、ＴＣＰは、輻輳と見ることがあり、それは、その後、輻輳に対処するために、データレートを低減させる。したがって、本明細書において開示されるシステムおよび方法は、モビリティ中断を低減させ、モビリティ中断問題に関連する他の態様に対処することができる。
【００７０】
遅延クリティカルなサービスのケースにおいて、次世代エアインターフェースの別の目標は、遅延クリティカルなサービスのモビリティ（または他の）イベント中に、遅延クリティカルなサービスの最大遅延要件を超えないように、ネットワークにおけるユーザプレーンデータ転送を扱うことであることができる。例えば、遅延クリティカルなサービスは、１ｍｓを超えないオーバザエア遅延要件を有することを期待されることがある。しかしながら、ファイバアクセスに基づいた非理想的なインターフェースについては、転送遅延は、２ｍｓ〜５ｍｓの範囲内にあること、またはより大きいことがあり、その場合、転送が実行されるとき、それが、パケット遅延バジェットに加算される。本明細書において開示されるシステムおよび方法は、遅延クリティカルなサービスのためのデータ転送の必要性を回避し、したがって、遅延要件を満たすことができる。
【００７１】
モビリティイベントの回数がより頻繁であることができる、ネットワーク要素の稠密配備を含むシナリオにおいては、中断時間が、増加することがあり、バックホール上における転送のせいで、追加的な遅延が、発生することがあり、サービス品質（ＱｏＳ）が、悪影響を受けることがある。したがって、本明細書において開示されるシステムおよび方法は、モビリティイベントに起因する中断を最小化および／または回避して、これらの課題のいくつかを軽減することができる。
【００７２】
本明細書の開示に従えば、システムおよび方法は、ソースセルとターゲットセルとの間で動いているＷＴＲＵの段階的再構成(Phased reconfiguration)を提供する。ＷＴＲＵが、ソースセル向けの機能の第１のセットを実行している間に、ＷＴＲＵは、段階的再構成を実行するように構成することができ、それによって、ＷＴＲＵは、サービングセル向けの機能の第３のセットを実行しながら、ターゲットセル向けの機能の第２のセットをトリガすることができ、ＷＴＲＵは、事前構成されたトリガに基づいて、サービングセル向けの機能の第３のセットのうちの１つまたは複数を実行することを停止することができる。
【００７３】
本明細書の開示に従えば、ＷＴＲＵは、ソースセル向けの機能の第１のセットを実行しながら、段階的再構成を実行するように構成することができ、ＷＴＲＵは、事前構成されたトリガ条件の第１のセット（例えば、「段階的導入phase-in」トリガ）に基づいて、ターゲットセル向けの機能の第２のセットをトリガすることができ、ＷＴＲＵは、事前構成されたトリガ条件の第２のセット（例えば、「段階的中止phase-out」トリガ）に基づいて、サービングセル向けの機能の第１のセットのうちの１つまたは複数の機能を実行することを停止することができる。
【００７４】
次世代無線アクセスネットワーク（例えば５Ｇネットワーク）においては、異なるタイプのバックホールソリューションを使用することができる。理想的なバックホールは、非常に高いスループットおよび非常に低い遅延など、きわめて望ましい特質を有するが、それは、性能対コストのトレードオフの観点から、実用的でないことがある。この理由のため、非理想的なバックホールが、広く配備されることがある。非理想的なバックホールの特性の例が、表１に示されている。
【００７５】
【表１】
0006951457.tif 000002
【００７６】
例においては、ＷＴＲＵが、ターゲットセルとのＵｕエアインターフェースを確立している間、ＷＴＲＵは、トリガが発生するまで、ソースセルとの最小Ｕｕエアインターフェースを維持することができる。例えば、ＷＴＲＵは、第２のターゲットキャリアを使用して（ターゲットセルにおいて）接続の確立を開始しながら、ＷＴＲＵは、（ソースセルにおいて）第１のソースキャリアを用いて接続性を維持するように構成することができる。このＷＴＲＵの段階的再構成挙動は、ＷＴＲＵが、第１のキャリアをソースセル内に含むソース構成から、第２のキャリアをターゲットセル内に含むターゲット構成への再構成を、それが実行すべきであると決定した後に、発生することができる。ＷＴＲＵは、例えば、以前に受信した接続構成命令を使用することによって、またはモビリティ制御情報を用いて再構成の開始をトリガするネットワークからの（例えば、ｇＮＢからの）制御シグナリングの受信時に、再構成の必要性を自律的に決定することができる。ＷＴＲＵの段階的再構成挙動は、ソースセルからターゲットセルへのモビリティイベントなどにおいて、再構成が第１のキャリアのための構成を含まないときに、発生することができる。例示的なケースにおいては、異なるキャリアと関連付けられたリソースの同時使用は、時分割方式で、または周波数分割方式で、実行することができる。
【００７７】
ＷＴＲＵの段階的再構成挙動の一部として、ＷＴＲＵは、ソースセルに対するそれの動作を段階的に中止することができる。ＷＴＲＵは、第２の（ターゲット）キャリア（すなわち、ターゲットセル）のリソースを使用する送信を開始しながら、それは、第１の（ソース）キャリア（すなわち、ソースセル）のリソースを使用する送信を続行することができる。ＷＴＲＵは、段階的手法を使用して、第１のキャリアのリソースを使用して動作することができ、段階的手法によって、以前はソースキャリアに適用可能であったいくつかの機能を停止することができ、一方、他の機能は、ＷＴＲＵが、トリガ（多くの可能なトリガが存在することができる）から、それがそれの構成から第１のキャリアを完全に除去すべきであることを決定するまで、変更または続行することができる。
【００７８】
ＷＴＲＵの段階的再構成挙動の一部として、ＷＴＲＵは、ターゲットセルに対するそれの動作を段階的に導入することができる。ＷＴＲＵは、第１の（ソース）キャリア（すなわち、ソースセル）のリソースを使用する送信においてアクティブであり続けながら、ＷＴＲＵは、第２の（ターゲット）キャリア（すなわち、ターゲットセル）のリソースを使用する送信を開始することができる。ＷＴＲＵは、段階的手法を使用して、第２のキャリアのリソースを使用して動作することができ、段階的手法よって、いくつかの機能（例えば、以前はソースキャリアに適用可能であったが、そのソースキャリアに対して停止することができた機能）は、最初に開始することができ、一方、他の機能は、後で開始することができる。例えば、ＷＴＲＵは、それがそれの構成から第１のキャリアを完全に除去すべきであることを示すトリガ（多くの可能なトリガが存在することができる）から、そのような他の機能を第２のキャリアに対して開始することを決定することができる。
【００７９】
非段階的再構成においては、ＷＴＲＵが、構成を受信すると直ちに、ＷＴＲＵは、再構成を適用／実行することができる。段階的再構成においては、ＷＴＲＵは、ソースセル向けのトリガ条件の第１のセットに基づいて、再構成の第１のセットを適用することができ、ターゲットセル向けのトリガ条件の第２のセットに基づいて、再構成の第２のセットを適用することができる。
【００８０】
図２は、ソースセル／ｇＮＢ２０１からターゲットセル／ｇＮＢ２０２へのＷＴＲＵ２０４のための例示的な段階的再構成手順２００のシグナリング図である。例示的な段階的再構成手順２００は、並列して、部分的または全体的に発生すること、または発生しないことができる、以下のステージ、すなわち、段階的再構成前ステージ２３０、ターゲットセル段階的導入ステージ２３２、およびソースセル段階的中止ステージ２３４を含むことができる。段階的再構成に先立つ２３０において、ＷＴＲＵ２０４は、ソースセル／ｇＮＢ２０１とともに、ＣＯＮＮＥＣＴＥＤ状態２０６にあることができ、制御信号２０８をｇＮＢ２０１から受信することができる。制御信号（メッセージ）２０８は、段階的導入トリガおよび／または段階的中止トリガを含む、段階的再構成を示すことができる。例においては、示されていないが、ＷＴＲＵ２０４は、制御信号２０８を受信せずに、段階的再構成を自律的に開始することができる。ＣＯＮＮＥＣＴＥＤ状態２０６にある間に、ＷＴＲＵは、データおよび／もしくは制御情報（例えば、物理ダウンリンク制御チャネル（ＰＤＣＣＨ）／物理ダウンリンク共用チャネル（ＰＤＳＣＨ）２１０）を、ｇＮＢ２０１から受信することができ、ならびに／またはデータおよび／もしくは制御情報（例えば、物理アップリンク制御チャネル（ＰＵＣＣＨ）／物理アップリンク共用チャネル（ＰＵＳＣＨ）２１２）を、ｇＮＢ２０１に送信することができる。
【００８１】
２１４において、ＷＴＲＵ２０４は、受信した段階的再構成制御メッセージ２０８によって示されるような、１つまたは複数の段階的導入トリガおよび／または段階的中止トリガを監視し始めることができる。ＷＴＲＵ２０４が、ソースセル２０１とターゲットセル２０２からの送信を同時に受信および処理することができるとき、ＷＴＲＵ２０４は、実現可能性通知(feasibility notification)２１６を送信することができる。実現可能性通知２１６の目的は、段階的再構成手順２００の開始のタイミングについて、およびネットワークにおいてデータ転送をどのように実行すべきかの決定について、ネットワークを支援することであることができる。ソースｇＮＢ２０１は、ＷＴＲＵ２０４を対象とした情報の、ターゲットｇＮＢ２０２へのデータ転送２１８を実行することができる。段階的再構成が、開始されたとき、ＷＴＲＵ２０４は、ソースセル２０１において、不連続受信（ＤＲＸ）に入るように構成することができる。データギャップのアクティブ化２２０とは、ＷＴＲＵが、（データ送信のための測定ギャップなど）事前構成された時分割多重（ＴＤＭ）パターンを、ソースセル２０１および／またはターゲットセル２０２への時間多重送信に適用することであることができる。データギャップが、構成される場合、ＷＴＲＵ２０４が、ソースセル２０１上において、データギャップ期間中に連続監視を実行することができるように、ＷＴＲＵ２０４は、データギャップ２２０をアクティブ化することができる。ＷＴＲＵ２０４は、ターゲットｇＮＢ２０２とのランダムアクセス（ＲＡＣＨ）手順２２２を実行して、ターゲットセル２０２と接続状態２２６になることができる。ＷＴＲＵ２０４は、ある期間の時間にわたって、ｇＮＢ２０１とｇＮＢ２０２の両方に接続されていることができる。ＷＴＲＵ２０４は、再構成完了メッセージ２２４をｇＮＢ２０２に送信して、役割変更（role change）をターゲットセル２０２に示すことができる。
【００８２】
ソースセル２０１に対するアクション（「アクションＳ」）と、ターゲットセル２０２に対するアクション（「アクションＴ」）は、並列して発生することができる。アクションＳは、ソースセル２０１においてＷＴＲＵ２０４が実行する機能（機能の第１のセット）（例えば、以下の表２における列「段階的再構成条件がトリガされたときのＷＴＲＵ挙動」）に対応することができる。アクションＴは、ターゲットセル２０２においてＷＴＲＵ２０４が実行する機能（機能の第２のセット）（例えば、以下の表２における列「ＷＴＲＵがターゲットセルにおいて機能を実行することができる時間／イベント」）に対応することができる。
【００８３】
例においてＷＴＲＵ２０４は、ＷＴＲＵ能力および／または配備の検討事項に基づいて、ソースセル２０１およびターゲットセル２０２への／からの送信および／または受信を同時に実行するように構成することができる。例えば同時動作のために、独立したＲＦチェーンを有するＷＴＲＵ２０４を構成することができる。例えばＷＴＲＵ２０４は、同時動作を可能にするために、ビームフォーミングおよび／または干渉除去を使用して、ソースセル２０１およびターゲットセル２０２向けの空間的隔離および／または干渉軽減を達成することが可能であることができる。例においては、ソースセル２０１とターゲットセル２０２との間のタイミング差が小さい配備は、同時動作に貢献することができる。
【００８４】
ＷＴＲＵ２０４は、ソースセル２０１およびターゲットセル２０２との送信／受信を同時に実行することができることがある。例えばソースセル２０１とターゲットセル２０２が、同じ１つもしくは複数の周波数を使用しており、および／または干渉軽減／除去を使用しており、および／または２つの重なり合わない同時ビームを使用しているとき、同時送信／受信が、可能であることができる。そのような同時送信／受信は、ＷＴＲＵ２０４が、独立した無線フロントエンド（ＲＦ）チェーンを有する場合、異周波数ケースにおいても、可能であることができる。ソースセル段階的中止ステージ２３４の間に、ＷＴＲＵ２０４が、ソースセル２０１への送信を停止することができ、および／またはソースセル２０１との送信をもはや時間多重（ＴＤＭ）することができないように、ＷＴＲＵ２０４は、データギャップ２２８を非アクティブ化することができる。例示的な段階的再構成手順２００において示される要素など、段階的再構成の要素が以下でより詳細に説明される。
【００８５】
上で説明されたように、ＷＴＲＵは、段階的再構成を開始することができる。例においては、ＷＴＲＵは、例えば、段階的導入トリガおよび／または段階的中止トリガに基づいて、段階的再構成を自律的に開始することができる。ＷＴＲＵは、ターゲットセルとともに適用される構成情報、および構成をターゲットセルに対していつ適用すべきかについての関連付けられたトリガ（例えば、段階的導入トリガ）を含む、第１の再構成を受信することができる。段階的導入トリガの例は、表２における列「ＷＴＲＵがターゲットセルにおいて機能を実行することができる時間／イベント」において与えられる。ＷＴＲＵは、ソースセルにおいて適用される構成情報、および構成をソースセルに対していつ適用すべきかについての関連付けられたトリガ（例えば、段階的中止トリガ）を含む、第２の再構成を受信することができる。段階的中止トリガの例は、表２における列「ＷＴＲＵがソースセルにおいてもはや機能を実行することができない時間／イベント」において示されている。第１および第２の再構成は、同じメッセージで、または別々のメッセージで受信することができる。別の例においては、ＷＴＲＵは、ＤＬ制御シグナリングを受信し、それからＷＴＲＵが段階的再構成を開始すべきであることを決定することができる。例えば、ＷＴＲＵは、ターゲットセルと関連付けられた第１の再構成を実行し、並列的または順次的に、ソースセルと関連付けられた第２の再構成を実行するように構成することができる。
【００８６】
ＷＴＲＵが、ソースセルとターゲットセルからの送信を同時に受信および処理することができるとき、ＷＴＲＵは、実現可能性通知などの通知を送信するように構成することができる。ネットワーク向けのそのようなＵＬ制御シグナリングの目的は、段階的再構成手順の開始のタイミングについて、およびネットワークにおいてデータ転送をどのように実行すべきかの決定について、ネットワークを支援することである。例においては、ＷＴＲＵは、段階的再構成のために必要とされるすべての条件がトリガされた、または満たされたとき、実現可能性通知を送信するように構成することができる。別の例においては、ＷＴＲＵは、段階的再構成のために必要とされる１つまたは複数の基準がトリガされた、または満たされたとき、実現可能性通知を送信するように構成することができる。別の例においては、ＷＴＲＵは、段階的再構成のために必要な個々のイベントを、ネットワークに、例えば、ソースセルに、報告するように構成することができる。
【００８７】
別の例においては、ＷＴＲＵは、モビリティ制御情報（例えば、ハンドオーバコマンド）を有する再構成が受信され、段階的再構成のための１つまたは複数の条件が満たされたとき、実現可能性通知を送信するように構成することができる。例においては、ＷＴＲＵは、実現可能性要求を受信したときに、実現可能性応答（例えば、実現可能性通知）をソースセルに送信することができ、実現可能性要求は、ＷＴＲＵによって測定されるような１つまたは複数のイベント／基準のステータスを問い合わせることができる。例においては、ＷＴＲＵは、実現可能性インジケーションを測定報告と多重化することができる。測定報告は、様々な候補セル、および関連付けられた測定結果を含むことができる。ＷＴＲＵは、それが、サービングセルおよび候補セルの両方から同時に送信／受信することができるかどうかを、測定報告において示すことができる。ＷＴＲＵは、各候補についての段階的再構成の実現可能性を、測定報告において示すことができる。
【００８８】
以下の条件のうちの１つまたは複数が満たされたとき、ＷＴＲＵは、実現可能性通知を送信し、ターゲットセルへのアクセスを開始し、および／または段階的導入トリガについての監視を開始することができる。例示的な条件に従えば、ＷＴＲＵバッファステータスが、（例えば、１つまたは複数の事前構成されたデータ無線ベアラ（ＤＲＢ）のための）事前定義された閾値を超える。別の例示的な条件においては、ＷＴＲＵ  ＲＸビームフォーミングが、ソースセルおよびターゲットセルからのＤＬ送信間に、十分な空間的隔離を達成することができる（例えば、ソースセルからの少なくとも１つの送信、およびターゲットセルからの少なくとも１つの送信ビームと関連付けられた、信号対干渉および雑音比（ＳＩＮＲ）が、閾値を上回った場合、ＷＴＲＵは、十分な空間的隔離が達成されたと決定することができる）。別の例示的な条件においては、ソースセルとターゲットセルとの間のＤＬタイミング差が、閾値内（例えば、ＣＰ内）にある。別の例示的な条件においては、ソースセルの（例えば、基準信号測定と関連付けられた）品質が、事前定義された閾値を上回り、ターゲットセルの（例えば、基準信号測定と関連付けられた）品質が、事前定義された閾値を上回る。別の例示的な条件においては、ソースセルとのＵＬ同期が、まだ有効である（すなわち、時間アライメントタイマ（ＴＡＴ）が、満了していない）。別の例示的な条件においては、ソースセルの無線リンク監視（ＲＬＭ）ステータスが、無線リンク障害（ＲＬＦ）が発生していないこと、または無線リンク回復と関連付けられたタイマ（例えば、Ｔ３１０）が動作していないことを示す。
【００８９】
ＷＴＲＵは、空間的隔離を達成することができる、ソースセルおよびターゲットセルからの好ましい送信ビームを示すことができる。ＷＴＲＵは、ソースセル向けのデータ送信と関連付けられたＷＴＲＵバッファのステータス報告（例えば、段階的再構成がトリガされたときのＷＴＲＵバッファのスナップショット）を、実現可能性通知メッセージ内に含めることができる。
【００９０】
段階的再構成の間におけるＷＴＲＵ機能性(functionality)および挙動の例が、表２に示されている。表２におけるＷＴＲＵ挙動は、様々な段階的導入トリガおよび段階的中止トリガの機能であることができ、ソースキャリア（ソースセル）に対して適用可能な機能の第１のセット、およびターゲットキャリア（ターゲットセル）に対して適用可能な機能の第２のセットに関することができる。
【００９１】
【表２−１】
0006951457.tif 000003
【００９２】
【表２−２】
0006951457.tif 000004
【００９３】
【表２−３】
0006951457.tif 000005
【００９４】
段階的再構成中におけるＷＴＲＵと関連付けられたリソースおよびＷＴＲＵ挙動の例が、表３に示されている。表３に示されていない他のリソース（例えば、ＵＬ  ＡＣＫ／ＮＡＣＫ、ＳＣＩリソース、ＰＲＡＣＨ、ＳＲ、ＰＵＳＣＨ）が、段階的再構成によって影響されることがある。表３に示されるＷＴＲＵ挙動は、様々なトリガの機能であることができ、ソースキャリア（ソースセル）に対して適用可能な機能の第１のセット、およびターゲットキャリア（ターゲットセル）に対して適用可能な機能の第２のセットに関することができる。
【００９５】
【表３】
0006951457.tif 000006
【００９６】
以下においては、段階的再構成の開始後のソースセルにおけるＷＴＲＵ挙動の例が、与えられる。例においては、段階的構成の開始後のソースセルにおけるＷＴＲＵ挙動について、以下の条件、すなわち、ＷＴＲＵがもはやＵＬ時間整合していないこと（例えば、ＴＡＴ満了時）、（例えば、基準信号測定に基づいた）サービング（ソース）セル品質が閾値を下回ったこと、および／またはＲＬＦがソースセルにおいて発生していることのうちの１つまたは複数が、真であるとき、ＷＴＲＵは、ソースセルにおいてＵＬリソースを解放するように構成することができる。例においては、ＷＴＲＵは、段階的再構成がアクティブであるとき、控えめのＲＬＦ閾値を用いるように構成することができる。
【００９７】
例においては、以下の条件、すなわち、ソースセルにおけるＵＬリソースが解放されたこと、ＵＬデータ送信について、ソースセルにおけるデータ送信のために構成されたＤＲＢと関連付けられたＷＴＲＵ  ＵＬバッファが空であること、ＤＬについて、ＷＴＲＵが最後のＤＬ  ＰＤＵを受信したとき（例えば、ソースセルからの「ＤＬの終り」パケットマーカによって示すことができるように、ソースセルがＷＴＲＵに送信すべきそれ以上のＰＤＵを有さないとき）、ならびに／またはＷＴＲＵが他のいずれかの明示的なインジケーションをソースセルおよび／もしくはターゲットセルから受信したとき（例えば、段階的構成が解放されるべきことを示す制御メッセージをＷＴＲＵが受信したとき）のうちの１つまたは複数が、真であるとき、ＷＴＲＵは、段階的再構成を解放するように（すなわち、ソースセルへの／からの送信／受信を停止するように）構成することができる。例においては、ＷＴＲＵは、段階的再構成の解放時に、通知をターゲットセルに送信するように構成することができる。
【００９８】
例においては、ＷＴＲＵは、ソースセルと関連付けられたＲＬＣエンティティへの新しいＰＤＣＰ  ＰＤＵの以降の配送を停止するように構成することができる。例においては、ＷＴＲＵは、そのようなアクションを、低遅延および最小サービス中断を必要とするＤＲＢなど、事前構成されたＤＲＢに対してだけ実行することができる。ＤＲＢの残りについては、ＷＴＲＵは、ターゲットセルとともに、ＰＤＣＰ／ＲＬＣエンティティを再確立することができる。ＷＴＲＵは、ソースセルと関連付けられたＭＡＣエンティティをリセットしないことがある。ＷＴＲＵは、ソースセルにおいて、ＵＬグラント監視、スケジューリング要求（ＳＲ）送信、および／またはＢＳＲ送信に関連する手順を実行し続けることができる。ＷＴＲＵは、ＷＴＲＵ送信バッファ内のデータのスナップショット（例えば、ＲＬＣセグメント、否定応答されたＲＬＣ  ＰＤＵ）を、ソースセルに送信しようと試みることができる。
【００９９】
例においては、以下の基準、すなわち、ＵＬデータ送信について、ソースセルにおけるデータ送信のために構成されたＤＲＢと関連付けられたＷＴＲＵ  ＵＬバッファが空であること、ソースセルにおけるＵＬリソースが解放されたこと、パケット遅延が閾値を上回ったこと、および／もしくは再送／ＤＬ  ＮＡＣＫの回数が閾値を上回ったこと、ならびに／またはＷＴＲＵが他のいずれかの明示的なインジケーションをソースセルおよび／もしくはターゲットセルから受信したこと（例えば、ＷＴＲＵは段階的構成が解放されるべきことを示す制御メッセージを受信することができる）のうちの１つまたは複数が、満たされたとき、ＷＴＲＵは、ソースセルにおいてＵＬ送信を停止するように構成できる。
【０１００】
例においては、ＷＴＲＵは、ソースセル向けのＤＬデータ送信動作を続行するように構成することができる。以下の条件、すなわち、ＷＴＲＵが、それがソースセルから送信された最後のＤＬ  ＰＤＵであることを示す特別なマーキング（例えば、ソースセルからの「ＤＬの終り」パケットマーカ）を有するＤＬ  ＰＤＵを受信したこと、ソースセルにおけるＵＬリソースが解放されたこと、ならびに／またはＷＴＲＵが他のいずれかの明示的なインジケーションをソースセルおよび／もしくはターゲットセルから受信したこと（例えば、ＷＴＲＵは段階的構成が解放されるべきことを示す制御メッセージを受信することができる）のうちの１つまたは複数が、満たされたとき、ＷＴＲＵは、ソースセルにおいてＤＬデータ送信に関連する動作（例えば、ＤＬグラントについての監視、および／またはＤＬ送信に関連するフィードバックの送信）を停止するように構成することができる。
【０１０１】
例においては、ＷＴＲＵは、ソースセルへのＣＳＩフィードバック送信を続行するように構成することができる。別の例においては、段階的再構成が、開始されたとき、ＷＴＲＵは、ソースセルへのＣＳＩフィードバック送信を停止するように構成することができる。ＷＴＲＵは、段階的再構成がアクティブであるとき、ソースセル送信のために、控えめの変調符号化方式（ＭＣＳ）を用いるように構成することができる。
【０１０２】
例においては、ＷＴＲＵは、ソースセルにおいて非ＤＲＸ状態に入るように構成することができる。データギャップが、構成される場合、ＷＴＲＵは、ソースセル上において、データギャップ期間中に連続監視を実行することができる。別の例においては、ＷＴＲＵは、ソースセル上において、ＲＬＭ動作を実行し続けることができる。段階的再構成が、開始されるとき、ＷＴＲＵは、ターゲットセル上において、ＲＬＭ動作を開始することができる。ＷＴＲＵは、ＷＴＲＵがターゲットセルにおいてＵＬリソースを獲得したとき、ソースセル上において、ＲＬＦを宣言しないように構成することができる。別の例においては、ＷＴＲＵは、ＷＴＲＵがターゲットセルにおいてＵＬリソースを獲得するまで、ソースセルにおいて、システム情報および／またはページング受信動作を実行し続けることができる。ＷＴＲＵは、ターゲットセルにおいてＵＬリソースを獲得したとき、ターゲットセル上において、システム情報更新およびページングチャネルを監視し始めることができる。
【０１０３】
以下においては、段階的再構成の開始後のターゲットセルにおけるＷＴＲＵ挙動の例が、与えられる。例においては、以下の条件、すなわち、競合解決がターゲットセルにおいて成功したこと、ターゲットセルの品質が閾値を上回り、事前割り当てされたグラントが（例えば、事前定義された開始サブフレームと同時に、またはその後に）有効になったこと、および／またはＷＴＲＵがターゲットセルにおいてＵＬグラントを受信したこと（例えば、事前割り当てされたグラントが提供されない場合、ＷＴＲＵは、開始サブフレームにおいて、ＤＬ上の割り当てられたセル無線ネットワーク一時識別子（Ｃ−ＲＮＴＩ）について監視することができる）のうちの１つまたは複数が、真であるとき、ＷＴＲＵは、ターゲットセルにおけるＵＬリソースが獲得されたと見なすことができる。例においては、ＷＴＲＵが、ターゲットセルにおいてＵＬリソースを獲得したとき、ＷＴＲＵは、ソースセルへのＳＲＢ送信を停止し、ターゲットセルへのＳＲＢ送信を開始するように構成することができる。別の例においては、ＷＴＲＵが、ターゲットセルにおいてＵＬリソースを獲得したとき、ＷＴＲＵは、ＤＲＢと関連付けられたデータ送信を実行するように構成することができる。ＷＴＲＵが、ターゲットセルにおいてＵＬリソースを獲得したとき、ＷＴＲＵは、ＵＬ  ＳＲ送信および／またはＢＳＲ送信を開始することができる。
【０１０４】
段階的構成中におけるレイヤ３（Ｌ３）／コントロールプレーン（ＣＰ）処理の例が、以下において説明される。例においては、ＷＴＲＵは、第１のノード（例えば、マスタｅＮＢ（ＭｅＮＢ））向けの通信のために構成することができる。例えば、ＷＴＲＵの観点からは、第１のノードは、ＷＴＲＵの構成の第１のＭＡＣインスタンスのためのプライマリセル（例えば、ＭｅＮＢのプライマリセル（ＰＣｅｌｌ））に対応することができる。同様に、第２のノード（例えば、セカンダリｅＮＢ（ＳｅＮＢ）、または第１のノードと同じであることができる）は、ＷＴＲＵの構成の第２のＭＡＣインスタンスのためのプライマリセル（例えば、ＳｅＮＢのプライマリセル（ＰＳＣｅｌｌ））に対応することができる。例えば、段階的再構成中、ＰＣｅｌｌは、最初、（例えば、ＭｅＮＢ上の）ソースセルに対応することができ、一方、ＰＳＣｅｌｌは、最初、（例えば、ＳｅＮＢ上の）ターゲットセルに対応することができる。段階的再構成手順の完了に成功したとき、ＰＣｅｌｌ（すなわち、ソースセル）は、解放することができる。段階的再構成手順の完了に成功したとき、ＰＣｅｌｌ（すなわち、新しいソースセル）になるように、ＰＳＣｅｌｌ（すなわち、ターゲットセル）を促すことができる。ネットワークの観点からは、ｇＮＢ内モビリティのケースにおいては、第１および第２のノードは、同じノードであることができ、一方、ｇＮＢ間モビリティのケースにおいては、両者は、異なるノードであることができる。いずれのケースにおいても、ソースセルおよびターゲットセルと関連付けられたノードの識別情報は、ＷＴＲＵから可視であること、または可視でないことがある。本明細書において説明される例においては、ノード、セル（例えば、ＰＣｅｌｌ、ＰＳＣｅｌｌ）、ｇＮＢ、ＭＡＣインスタンス、またはセルグループという用語は、交換可能に使用することができる。本明細書において説明される例においては、第１のセルは、ソースセルであることができ（第１のセルとソースセルは、交換可能に使用することができ）、第２のセルは、ターゲットセルであることができ（第２のセルとターゲットセルは、交換可能に使用することができ）、ＷＴＲＵは、モビリティイベントの前、最中、または後に、アクションを実行するように構成することができる。
【０１０５】
シグナリング無線ベアラ（ＳＲＢ）は、無線リソース制御（ＲＲＣ）および／または非アクセス層（ＮＡＳ）メッセージの送信のために使用される無線ベアラ（ＲＢ）として、定義することができる。例えば、以下のＳＲＢを定義することができ、すなわち、ＳＲＢ０は、（例えば、共通制御チャネル（ＣＣＣＨ）論理チャネルを使用する）ＲＲＣメッセージのために使用することができ、ＳＲＢ１は、（ピギーバックされたＮＡＳメッセージを含むことができる）ＲＲＣメッセージのために、および（例えば、個別制御チャネル（ＤＣＣＨ）論理チャネルを使用する）ＳＲＢ２の確立前のＮＡＳメッセージのために使用することができ、ＳＲＢ２は、（例えば、ＤＣＣＨ論理チャネルを使用する）ログに記録された測定情報などのＲＲＣメッセージおよびＮＡＳメッセージのために使用することができ、ならびに／またはＳＲＢ３は、セカンダリセルグループ（ＳＣＧ）と関連付けられた、測定の再構成、Ｌ２／Ｌ１再構成、および無線リンク監視（ＲＬＭ）パラメータ再構成のためなどの、ＳｇＮＢと関連付けられたＲＲＣメッセージを運ぶために使用することができる。ＳＲＢ２は、ＳＲＢ１よりも低いプライオリティを有することができ、セキュリティアクティブ化の後に、構成することができる。
【０１０６】
以下の例においては、ＷＴＲＵは、段階的再構成中、ＳＲＢ０上において送信を実行するように構成することができる。ＷＴＲＵは、ＳＲＢ０が常に利用可能であり、明示的な確立を必要としないことができることを仮定することができ、ならびに／またはＷＴＲＵは、ＳＲＢ１およびＳＲＢ２についてと同様に、ＳＲＢ０確立を扱うことができる。例においては、ＷＴＲＵは、事前構成された条件時に（事前構成された条件の例は以下で与えられる）、ソースセル向けのプライマリＳＲＢ（例えば、ＳＲＢ１およびＳＲＢ２）を一時中断し、ターゲットセル向けのプライマリＳＲＢを確立するように構成することができる。ＷＴＲＵが、モビリティイベント中に、ＳＲＢの段階的再構成を適用するように構成されるとき、ＷＴＲＵは、以下のアクション、すなわち、第１のセル（例えば、ソースセル）向けの１つもしくは複数のプライマリＳＲＢ（例えば、ＳＲＢ１および／もしくはＳＲＢ２）を維持しながらの、第２のセル（例えば、ターゲットセル）向けの一時的セカンダリＳＲＢ（例えば、ＳＲＢ３）の確立、第１のセル向けの１つもしくは複数のプライマリＳＲＢ（例えば、ＳＲＢ１および／もしくはＳＲＢ２）の一時中断／削除／除去／解放、第２のセル向けの１つもしくは複数のプライマリＳＲＢ（例えば、ＳＲＢ１および／もしくはＳＲＢ２）の確立、第１のセル向けのセカンダリＳＲＢ（例えば、ＳＲＢ３）の確立、ならびに／または第１のセルの１つもしくは複数のプライマリＳＲＢが以前に一時中断された場合における、第２のセルのためのプライマリＳＲＢの確立が成功したときの、１つもしくは複数の一時中断されたプライマリＳＲＢの除去もしくは解放のうちの１つまたは複数を実行することができる。別の例においては、第２のセル（例えば、ターゲットセル）と関連付けられたＳＲＢ１およびＳＲＢ２は、段階的再構成中に、確立することができる。ＷＴＲＵは、１つまたは複数の事前構成された条件に基づいて（事前構成された条件の例は以下で与えられる）、第２のセル向けのＳＲＢ１およびＳＲＢ２の確立を開始するように構成することができる。
【０１０７】
ソースセル向けのプライマリＳＲＢ（例えば、ＳＲＢ１／２）を一時中断するための、および／またはターゲットセル向けのプライマリＳＲＢを確立するための事前構成された条件の例は、以下の条件、すなわち、第２のセルにおけるランダムアクセス手順の完了時、第２のセルとのセカンダリＳＲＢ（例えば、ＳＲＢ３）の確立時、例えば、セカンダリＳＲＢがＷＴＲＵのために構成されたとき、第１のセルと関連付けられたレイヤ２（Ｌ２）エンティティ内にバッファされた未処理データの完了時（すなわち、バッファを空にしたとき）、第１のセルにおける無線リンク問題の経験時もしくはＲＬＦの宣言時、ソースセルとのタイミング同期の喪失時（例えば、ＴＡＴタイマの満了時）、ソースセルと関連付けられたＵＬリソースの解放時、（例えば、測定に基づいたトリガに従った）段階的再構成が有効化された、条件付きモビリティによってトリガされた再構成の開始時、および／またはより低位のレイヤが第２のセルと関連付けられたセキュリティコンテキストを用いるように首尾よく構成されたときを含むが、それらに限定されない。
【０１０８】
例においては、第１のセル（例えば、ソースセル）と関連付けられたＳＲＢ１およびＳＲＢ２は、段階的再構成中に一時中断することができる。ＷＴＲＵは、１つまたは複数の事前構成された条件に基づいて、第１のセルとともに確立されたＳＲＢ１およびＳＲＢ２を一時中断するように構成することができる。段階的再構成中にソースセルと関連付けられたＳＲＢ１／２を一時中断するための事前構成された条件の例は、以下の条件、すなわち、第２のセルとのセカンダリＳＲＢ（例えば、ＳＲＢ３）の確立時（例えば、第２のセルにおけるランダムアクセス手順の完了時）、第２のセルとともにＳＲＢ１および／もしくはＳＲＢ２を確立するための手順の開始時、第１のセルと関連付けられたＬ２エンティティ内にバッファされた未処理データの完了時（すなわち、バッファを空にしたとき）、第１のセルにおける無線リンク問題および／もしくはＲＬＦの決定時（例えば、ＷＴＲＵが第２のセル向けのセカンダリＳＲＢを用いるように構成されたときは、第１のセル向けの無線リンク問題の検出時に、ＷＴＲＵはＲＬＦを宣言せず、第２のセルとのＳＲＢ１／ＳＲＢ２を続行し、第１のセル向けのＳＲＢ１／ＳＲＢ２を一時中断することができる）、ソースセルとのタイミング同期の喪失時（例えば、ＴＡＴタイマの満了時）、ソースセルと関連付けられたＵＬリソースの解放時、ならびに／またはより低位のレイヤが第２のセルと関連付けられたセキュリティコンテキストを用いるように首尾よく構成されたときを含むが、それらに限定されない。
【０１０９】
例においては、第１のセルと関連付けられたＳＲＢ１およびＳＲＢ２は、段階的再構成中に削除することができる。ＷＴＲＵは、１つまたは複数の事前構成された条件に基づいて、第１のセルとともに確立されたＳＲＢ１およびＳＲＢ２を削除するように構成することができる。事前構成された条件の例は、以下の条件、すなわち、第２のセルとともにＳＲＢ１および／もしくはＳＲＢ２を確立する手順が首尾よく完了したとき、セキュリティが第２のセルとともに首尾よくアクティブ化されたと決定したとき、ならびに／または第１のセル向けのセカンダリＳＲＢ確立の開始時、例えば、セカンダリＳＲＢがＷＴＲＵのために構成されたときを含むが、それらに限定されない。
【０１１０】
図３は、例えば、ＷＴＲＵ３０４のモビリティイベントに起因する、ソースセル３０１からターゲットセル３０２へのＷＴＲＵ３０４の段階的再構成中における例示的なＳＲＢハンドリング手順３００のシグナリング図である。ＷＴＲＵ３０４は、ソースセル３０１との確立された接続を有することができ、３０６において、ソースセル３０１とＳＲＢ１およびＳＲＢ２を交換することができる。例えば、ＳＲＢ１およびＳＲＢ２は、ＷＴＲＵ３０４とソースセル３０１との間のＲＲＣ接続セットアップ手順（図示されず）中に、確立されていることができる。ＷＴＲＵ３０４は、測定報告３０８をソースセル３０１に送信することができる。測定報告３０８は、以下の情報、すなわち、（単側帯波変調（ＳＳＢ）もしくはＣＳＩ−ＲＳに基づいた）セル品質結果、個々のＳＳＢおよび／もしくは基準信号測定結果、ならびに／またはそのような測定結果と関連付けられたセルの識別情報のうちのいずれかを含むことができるが、それらを含むことに限定されない。ＷＴＲＵ３０４は、セカンダリセルグループ（ＳＣＧ）の追加（構成）（例えば、モビリティイベント中、ＳＣＧはターゲットセル３０２に対応することができる）、および／またはターゲットセル３０２への役割変更構成を含むことができる、ＲＲＣ接続再構成メッセージ３１６を、ソースセル３０１から受信することによって、再構成を実行するように構成することができる。３１０において、ソースセル３０１は、ターゲットセル３０２を（例えば、セカンダリノードとして）追加することを決定することができる。例えば、ターゲットセル３０２を追加する決定は、測定報告３０８に基づくことができる。ソースセル３０１は、セカンダリノード追加要求メッセージ３１２（例えば、ＳｅＮＢ追加要求）を、ターゲットセル３０２に送信することができ、ターゲットセル３０２は、セカンダリノード追加要求肯定応答３１４を用いて応答することができる。
【０１１１】
ＷＴＲＵ３０４は、無線リソース制御（ＲＲＣ）接続再構成メッセージ３１６を、ソースセル３０１から受信することができる。ＲＲＣ接続再構成メッセージ３１６は、ＰＳＣｅｌｌ（例えば、ターゲットセル３０２）の追加、および／またはターゲットセル３０２と関連付けられた専用無線リソース構成を含むＳＣＧ構成を含むことができる。ＷＴＲＵ３０４は、ソースセル３０１向けのデータ送信を依然として実行しながら、ターゲットセル３０２向けの初期アクセスをトリガすることができる。例えば、ＷＴＲＵ３０４は、ＲＲＣ接続再構成完了メッセージ３１８を用いて、ソースセル３０１に応答することができ、ソースセル３０１は、セカンダリノード再構成完了メッセージ３２０をターゲットセル３０２に送信して、ターゲットセル３０２の構成を完了することができる（例えば、ＷＴＲＵ３０４が再構成シグナリングを首尾よく受信したことをターゲットセル３０２に通知することができる）。例えば、３２４において、ＳＲＢ３の構成を（例えば、ＲＲＣ接続再構成メッセージ３１６で）ＳＣＧ構成の一部として受信した場合、ＷＴＲＵ３０４は、３２４において、ターゲットセル３０２向けのＳＲＢ３をさらに確立することができる。ＷＴＲＵ３０４は、役割変更構成についての決定３２６を行うように構成することができ、役割変更構成は、ターゲットセル３０２向けのＳＲＢ１／ＳＲＢ２確立のための条件（および／またはソースセル３０１と関連付けられたＳＲＢ１／ＳＲＢ２の一時中断）を含むことができる。１つまたは複数の事前構成された条件が、満たされたとき、ＷＴＲＵ３０４は、３２８において、ソースセル３０１向けのＳＲＢ１／ＳＲＢ２の一時中断を行い、および／または３３２において、ターゲットセル３０２向けのＳＲＢ１／ＳＲＢ２の確立をトリガすることができる。例においては、ＷＴＲＵ３０４は、ソースセル３０１および／またはターゲットセル３０２から受信したコマンドに基づいて、役割変更(role change)をトリガすることができる。例においては、ＷＴＲＵ３０４は、制御メッセージ３３０（例えば、ＲＲＣ再構成完了または任意のＲＲＣメッセージ）を、ターゲットセル３０２に送信して、役割変更インジケーションをターゲットセル３０２に示すことができる。ＳＲＢ３が構成され、存在する場合、ＳＲＢ３上において、役割変更インジケーション制御メッセージ３３０を送信することができる。ＳＲＢ３が構成されない、またはターゲットセル３０２から利用可能でない場合、ＷＴＲＵ３０４は、ＳＲＢ０またはＳＲＢ１上において、役割変更インジケーション制御メッセージ３３０を送信することができる。ＷＴＲＵ３０４は、ターゲットセル３０２のために導出されたセキュリティコンテキストを使用する暗号化およびインテグリティ保護を用いて、役割変更インジケーション制御メッセージ３３０を送信するように構成することができる。
【０１１２】
３３２において、ターゲットセル３０２上におけるＳＲＢ１／ＳＲＢ２の確立が成功したとき、ＷＴＲＵ３０４は、３３４において、ソースセル３０１と関連付けられた一時中断されたＳＲＢ１／ＳＲＢ２を削除することができる。例においては、ＷＴＲＵ３０４は、３３６において、ソースセル３０１向けのセカンダリＳＲＢ（例えば、ＳＲＢ３）を確立するように構成することができる。失敗イベント（図示されず）の場合、例えば、ターゲットセル３０２上においてＳＲＢ１／ＳＲＢ２を確立することができないとき、ＷＴＲＵ３０４は、ソースセル３０１向けの先に一時中断されたＳＲＢ１／ＳＲＢ２を再開するように構成することができる。図示されない別の例においては、ＷＴＲＵ３０４は、ソースセル３０１向けの再開されたＳＲＢ１／ＳＲＢ２を使用して、ターゲットセル障害を報告するように構成することができる。例示的なＳＲＢハンドリング手順３００においては、すべての可能な要素が、示されているわけではなく、例示的なＳＲＢハンドリング手順３００の要素の任意のサブセットを、ＷＴＲＵ３０４のための段階的再構成手順の一部として実行することができ、または省くことができる。
【０１１３】
段階的構成中におけるレイヤ２（Ｌ２）コントロールプレーンおよびユーザプレーン（ＵＰ）処理の例が、以下で説明される。図４は、段階的再構成中におけるＬ２処理の進展を示す、ＷＴＲＵの例示的なプロトコルエンティティ構成４００のプロトコルアーキテクチャ図である。例示的なＷＴＲＵコントロールプレーンおよびＵＰエンティティ構成４０１、４０２、４０３は、段階的再構成のフェーズ、すなわち、段階的再構成の前（４０１）、段階的再構成の最中（４０２）、および段階的再構成の完了後（４０３）にそれぞれ対応する。ＷＴＲＵは、ＰＤＣＰレイヤの上のサービスデータレイヤ４０５において、シーケンス番号を追加するように構成することができる。サービスデータレイヤ４０５は、ソースセルおよびターゲットセルに対応するＰＤＣＰエンティティによってサービスされる単一のベアラのために、重複検出、順序が狂ったパケット(out-of-order packets)の並べ替えを実行することができる。例においては、サービスデータレイヤ４０５は、ＱｏＳフローと無線ベアラとの間のマッピングを扱うことができる。この手法においては、ＰＤＣＰエンティティは、独立したセキュリティハンドリング（例えば、異なるインテグリティおよび／または暗号化鍵）を用いるように構成することができる。
【０１１４】
図４に示される例においては、ソースセルのための、コントロールプレーンプロトコルエンティティ（ＲＲＣ４１４、ＰＤＣＰ４１６、ＲＬＣ４１８）、およびＵＰプロトコルエンティティ（ＰＤＣＰ４０６、ＰＤＣＰ４０８、ＲＬＣ４１０、ＲＬＣ４１２）の初期構成４０１が、ＭＡＣインスタンス４２０、およびレイヤ１（Ｌ１）インスタンス４２２（例えば、物理レイヤ）と関連付けられて、示されている。（例えば、表２による）１つまたは複数の段階的導入トリガが、満たされたとき、ＷＴＲＵは、段階的再構成を適用し、段階的再構成の進行中４０２に入ることができる。再構成４０２は、ターゲットセルのための、ＭＡＣインスタンス４４０およびＬ１インスタンス４４２と関連付けられた、１つもしくは複数のベアラのためのユーザプレーンエンティティ（ＰＤＣＰ４２６、ＲＬＣ４３０、ＰＤＣＰ４２８、ＲＬＣ４３２、ＰＤＣＰ４３６、ＲＬＣ４３８）のインスタンス化、および／またはコントロールプレーンエンティティ（ＲＲＣ４３４、ＰＤＣＰ４３６、ＲＬＣ４３８）のインスタンス化を含むことができる。この例においては、ＷＴＲＵは、単一の（共通）ベアラと関連付けられた２つのＰＤＣＰエンティティ、すなわち、ＰＤＣＰ４０８（ソースセル用）およびＰＤＣＰ４２６（ターゲットセル用）と、異なるサービスと関連付けられた異なるベアラのためのＰＤＣＰエンティティ４２８とを構成することができる。ＷＴＲＵは、段階的再構成中の４０２において、ＰＤＣＰエンティティ４０８からＲＬＣエンティティ４１２への新しいＰＤＣＰ  ＰＤＵの配送を停止することができる。段階的再構成後の４０３において、プロトコルエンティティの構成は、ＷＴＲＵが、ソースセルを段階的に中止し、ソースセルと関連付けられたすべてのプロトコルエンティティ（すなわち、プロトコルエンティティ４０６、４０８、４１０、４１２、４１４、４１６、４１８、４２０、４２２）が、解放され、ターゲットセルと関連付けられたプロトコルエンティティ（すなわち、プロトコルエンティティ４２６、４２８、４３０、４３２、４３４、４３６、４３８、４４０、４４２）だけが、サービスデータレイヤ４０５とともに残存するように、示されている。
【０１１５】
図５は、段階的再構成中におけるＬ２処理の進展を示す、ＷＴＲＵのプロトコルエンティティ構成５００の別の例のプロトコルアーキテクチャ図である。図５の例においては、ＷＴＲＵは、以下で説明されるような分割ベアラを可能にするソースＰＤＣＰエンティティ５０８を用いるように構成される。例示的なＷＴＲＵコントロールプレーンおよびユーザプレーンエンティティ構成５０１、５０２、５０３は、段階的再構成のフェーズ、すなわち、段階的再構成の前（５０１）、段階的再構成の最中（５０２）、および段階的再構成の完了後（５０３）にそれぞれ対応する。サービスデータレイヤ５０５は、図４において説明されたのと類似の機能性を有するＰＤＣＰレイヤの上位に含まれる。図５においては、ソースセルのための、コントロールプレーンプロトコルエンティティ（ＲＲＣ５１４、ＰＤＣＰ５１６、ＲＬＣ５１８）、およびユーザプレーンプロトコルエンティティ（ＰＤＣＰ５０６、５０８、ＲＬＣ５１０、５１２）の初期構成５０１が、ＭＡＣインスタンス５２０、およびＬ１インスタンス５２２と関連付けられて、示されている。１つまたは複数の段階的導入トリガが、満たされたとき（例えば、表２における例）、ＷＴＲＵは、段階的再構成５０２を適用することができ、再構成は、ターゲットセルのための、ＭＡＣインスタンス５４０およびＬ１インスタンス５４２と関連付けられた、１つもしくは複数のベアラのためのユーザプレーンエンティティ（ＰＤＣＰ５２６、ＲＬＣ５２５、ＲＬＣ５３０、ＰＤＣＰ５２８、ＲＬＣ５３２）、および／またはコントロールプレーンエンティティ（ＲＲＣ５３４、ＰＤＣＰ５３６、ＲＬＣ５３８）のインスタンス化を含むことができる。ＷＴＲＵは、サービスデータレイヤ５０５と関連付けられた単一のベアラのための２つのＰＤＣＰエンティティ（ＰＤＣＰ５０８、ＰＤＣＰ５２６）を構成することができる。ＷＴＲＵは、分割ベアラ構成を含むこともでき、ソースＰＤＣＰエンティティ５０８は、２つのＲＬＣエンティティ、すなわち、ソースセルのためのＭＡＣインスタンス５２０と関連付けられたＲＬＣエンティティ５１２、およびターゲットセルのためのＭＡＣインスタンス５４０と関連付けられたＲＬＣエンティティ５２５と関連付けることができる。段階的再構成後の５０３において、ＷＴＲＵが、ソースセルを段階的に中止し、ソースセルと関連付けられたすべてのプロトコルエンティティ（すなわち、プロトコルエンティティ５０６、５０８、５１０、５１２、５１４、５１６、５１８、５２０、５２２）が、解放された、プロトコルエンティティの構成が、示されている。
【０１１６】
段階的再構成中におけるＵＰ処理の例においては、ＷＴＲＵは、初期データ送信のために、ターゲットセル向けの第１のＵＰ構成を適用することができ、事前構成されたイベントの発生時に、ＷＴＲＵは、同じターゲットセル向けの第２のＵＰ構成を適用することができる。同じターゲットセル向けの第２のＵＰ構成を適用するようにＷＴＲＵをトリガすることができる、事前構成されたイベントの例は、以下のイベント、すなわち、ターゲットセル向けのプライマリＳＲＢ（例えば、ＳＲＢ１／２）の確立の成功、ソースセル向けのデータベアラの一時中断、ＲＬＦを経験するソースセル、閾値を下回るほど低下したソースセルの品質、閾値を超えるターゲットセルの品質、事前定義された量だけソースセルの品質を超えるターゲットセルの品質、ターゲットセルにおいてＵＬグラントを受信したＷＴＲＵ、および／またはソースセルにおいてＲＬＦを検出したＷＴＲＵを含むが、それらに限定されない。
【０１１７】
ＷＴＲＵは、モビリティイベント中に中断のないデータ送信を実行するために、段階的再構成を適用するように構成することができる。段階的再構成は、初期データ送信のために、ターゲットセル向けの第１のＵＰ構成を適用することを含むことができ、ある事前構成されたイベント（事前構成されたイベントの例は上で与えられた）の発生時に、ＷＴＲＵは、同じターゲットセル向けの第２のＵＰ構成を適用することができる。ＷＴＲＵは、与えられたターゲットセルのために、複数のＵＰ構成を用いるように構成することができ、段階的手法において、ＷＴＲＵは、事前構成されたイベントに基づいて、異なる時間に、特定のＵＰ構成を適用するように構成することができる。ＵＰ構成に対する段階的手法は、ソースセルおよびターゲットセルとの同時データ送信および／または受信を可能にすることができ、モビリティイベント中における中断時間を低減することを、または排除することさえも助けることができる。
【０１１８】
ターゲットセル向けの第１のＵＰ構成は、以下の例示的な特性のうちのいずれか１つまたは複数を有することができる。例えば、ＷＴＲＵは、ターゲットセル向けの初期データ送信および／または受信の前に、第１のＵＰ構成を適用するように構成することができる。別の例においては、ＷＴＲＵは、ターゲットセル向けの初期アクセスの成功前に、第１のＵＰ構成を適用するように構成することができる。別の例においては、ＷＴＲＵは、ターゲットセル向けのセカンダリシグナリングベアラ（例えば、ＳＲＢ３）の確立の成功後に、第１のＵＰ構成を適用するように構成することができる。別の例においては、第１のＵＰ構成は、ソースセルと関連付けられたＵＰ構成と共存することができる。別の例においては、第１のＵＰ構成は、デュアルコネクティビティ（ＤＣ）と関連して、ＳＣＧ構成と関連付けることができる。別の例においては、第１のＵＰ構成は、第１のＵＰ構成がソースセル鍵および／またはカウンタに基づいて導出されるときなど、（例えば、ソースセルと関連付けられた既存のプライマリセキュリティコンテキストに基づいて導出された）セカンダリセキュリティコンテキストと関連付けることができる。
【０１１９】
ターゲットセル向けの第２のＵＰ構成は、以下の例示的な特性のうちのいずれか１つまたは複数を有することができる。例えば、ＷＴＲＵは、ターゲットセル向けの後続のデータ送信および／または受信を実行するために、第２のＵＰ構成を適用するように構成することができる。別の例においては、ＷＴＲＵは、ターゲットセル向けのプライマリシグナリングベアラ（例えば、ＳＲＢ１／ＳＲＢ２）の確立の成功後に、ターゲットセル向けの第２のＵＰ構成を適用することができる。別の例においては、ＷＴＲＵは、ソースセル向けのデータベアラが一時中断されたとき、ターゲットセル向けの第２のＵＰ構成を適用することができる。別の例においては、ＷＴＲＵは、ソースセルがＲＬＦを経験したとき、ターゲットセル向けの第２のＵＰ構成を適用することができる。別の例においては、ＷＴＲＵは、ターゲットセル向けの第２のＵＰ構成をいつ適用すべきかを決定するための条件／基準を用いるように明示的に構成することができる。ターゲットセル向けの第２のＵＰ構成を適用するための例示的な条件は、以下を、すなわち、ソースセルの品質が閾値を下回ったとき、ターゲットセルの品質が閾値を上回ったとき、ターゲットセルの品質が事前定義された量だけソースセルよりも良好なとき、ＷＴＲＵがターゲットセルにおいてＵＬグラントを受信したとき、および／またはＷＴＲＵがソースセルにおいて無線リンク障害を検出したときを含むが、それらに限定されない。別の例においては、第２のＵＰ構成は、（例えば、ターゲットセルと関連付けられた識別情報に基づいて導出された）ターゲットセルにおいて固定されたプライマリセキュリティコンテキストと関連付けることができる。
【０１２０】
図６、図７、および図８は、ソースセルからターゲットセルへのＷＴＲＵの段階的再構成中に構成される例示的なプロトコルエンティティ構成のプロトコルアーキテクチャ図である。図６、図７、および図８における例においては、時間Ｔ１は、ＷＴＲＵがソースセルだけに接続される、段階的構成の前に発生することができ、時間Ｔ４は、ＷＴＲＵがターゲットセルだけに接続される、段階的構成が完了した後に発生することができる。
【０１２１】
例においては、図６は段階的再構成の前、最中、および後の時間Ｔ１、Ｔ２、Ｔ３、およびＴ４における、ソースセルのプロトコルエンティティのプロトコルエンティティ構成６０１、ターゲットセルのプロトコルエンティティのプロトコルエンティティ構成６０２、およびＷＴＲＵのプロトコルエンティティのプロトコルエンティティ構成６０３を示している。段階的再構成の前の時間Ｔ１において、ＷＴＲＵは、ソースセルと関連付けられたプロトコルエンティティ（Ｌ１  ６１０、ＭＡＣ６１２、ＲＬＣ６１４、ＰＤＣＰ６１６）を用いるように構成される。ＷＴＲＵがソースセルからＲＲＣ再構成を受信することができる段階的再構成の最中の時間Ｔ２において、ＷＴＲＵは、ターゲットセルと関連付けられたＵＰエンティティ（Ｌ１  ６２２、ＭＡＣ６２４、ＲＬＣ６２６）に第１のＵＰ構成を適用するように構成することができる。したがって、ＷＴＲＵは、ターゲットセルのためのＵＰエンティティ（Ｌ１  ６２２、ＭＡＣ６２４、ＲＬＣ６２６）をインスタンス化し、第１のＵＰ構成と関連付けられたＭＡＣおよびＲＬＣ構成を適用することができる。時間Ｔ２において、ＷＴＲＵのプロトコルエンティティ構成６０３は、ソースセルと関連付けられたＰＤＣＰエンティティ６２０を用いる分割ベアラに対応することができる。ＷＴＲＵは、ターゲットセルにおいて固定された無線ベアラを用いるように構成することができ、その場合、第１のＵＰ構成は、ＳＣＧカウンタを含むことができる。例においては、ＷＴＲＵは、ＳＣＧカウンタに基づいて、ターゲットセルと関連付けられたＳ−ＫｅＮＢを導出するように構成することができ、Ｓ−ＫｅＮＢは、ＲＲＣおよび／またはＵＰのためのインテグリティおよび暗号化鍵がそれから導出される、アクセス層セキュリティのための最上位レベル鍵である。ＷＴＲＵは、その後、ユーザプレーン暗号および／またはインテグリティ保護鍵を導出することができる。ＷＴＲＵは、暗号化／インテグリティ保護アルゴリズムを適用し、新たに導出された鍵を使用するように、あるレイヤ（例えば、図示されていないＰＤＣＰレイヤエンティティ）を構成することができる。第１のＵＰ構成の適用の成功時、ＷＴＲＵは、すでに実行されていない場合は、ターゲットセル向けのデータ送信および／または初期アクセスを開始するように構成することができる。
【０１２２】
時間Ｔ３において、ＷＴＲＵは、例えば、上で説明された第２のＵＰ構成の特性に関連する、１つまたは複数のイベントに基づいて、第２のＵＰ構成を適用するように構成することができる。第２のＵＰ構成を適用するようにＷＴＲＵをトリガすることができる例示的なイベントは、ＷＴＲＵがソースセルおよび／またはターゲットセルから制御メッセージを受信することであることができる。時間Ｔ３において、ＷＴＲＵは、第２のＵＰ構成に基づいて、ターゲットセルと関連付けられたＵＰエンティティ（Ｌ１  ６２２、ＭＡＣ６２４、ＲＬＣ６２８）をインスタンス化するように構成することができる。時間Ｔ３において、ＷＴＲＵは、ソースセルと関連付けられたユーザプレーンエンティティ（Ｌ１  ６１０、ＭＡＣ６１２、ＲＬＣ６１４）を一時中断／削除するように構成することができる。結果として、ＷＴＲＵは、ソースセル向けのいずれの進行中のデータ送信および／または受信も停止することができる。段階的再構成が完了した後の時間Ｔ４において、ＷＴＲＵは、ターゲットセルと関連付けられ、ソースセルと関連付けられない、プロトコルエンティティ（Ｌ１  ６２２、ＭＡＣ６２４、ＲＬＣ６２６、ＰＤＣＰ６２８）を用いるように構成される。
【０１２３】
別の例においては、図７は、段階的再構成の前、最中、および後の時間Ｔ１、Ｔ２、Ｔ３、およびＴ４における、ソースセルのプロトコルエンティティのプロトコルエンティティ構成７０１、ターゲットセルのプロトコルエンティティのプロトコルエンティティ構成７０２、およびＷＴＲＵのプロトコルエンティティのプロトコルエンティティ構成７０３を示している。段階的再構成の前の時間Ｔ１において、ＷＴＲＵは、ソースセルと関連付けられたプロトコルエンティティ（Ｌ１  ７１０、ＭＡＣ７１２、ＲＬＣ７１４、ＰＤＣＰ７１６）を用いるように構成される。ＷＴＲＵがソースセルからＲＲＣ再構成を受信することができる段階的再構成の最中の時間Ｔ２において、ＷＴＲＵは、ターゲットセルと関連付けられたＵＰエンティティ（Ｌ１  ７２２、ＭＡＣ７２４、ＲＬＣ７２６）に第１のＵＰ構成を適用するように構成することができる。したがって、ＷＴＲＵは、ターゲットセルのためのＵＰエンティティ（Ｌ１  ７２２、ＭＡＣ７２４、ＲＬＣ７２６）をインスタンス化し、第１のＵＰ構成と関連付けられたＭＡＣおよびＲＬＣ構成を適用することができる。時間Ｔ２において、ＷＴＲＵのプロトコルエンティティ構成７０３は、ソースセルと関連付けられたＰＤＣＰエンティティ７２０を用いる分割ベアラに対応することができる。ＷＴＲＵは、ターゲットセルにおいて固定された無線ベアラを用いるように構成することができ、その場合、第１のＵＰ構成は、ＳＣＧカウンタを含むことができる。例においては、ＷＴＲＵは、ＳＣＧカウンタに基づいて、ターゲットセルと関連付けられたＳ−ＫｅＮＢを導出するように構成することができる。ＷＴＲＵは、その後、ユーザプレーン暗号および／またはインテグリティ保護鍵を導出することができる。ＷＴＲＵは、暗号化／インテグリティ保護アルゴリズムを適用し、新たに導出された鍵を使用するように、他のレイヤ（例えば、図示されていないＰＤＣＰレイヤエンティティ）を構成することができる。第１のＵＰ構成の適用の成功時、ＷＴＲＵは、すでに実行されていない場合は、ターゲットセル向けのデータ送信および／または初期アクセスを開始するように構成することができる。
【０１２４】
時間Ｔ３において、ＷＴＲＵは、例えば、上で説明された第２のＵＰ構成の特性に関連する、１つまたは複数のイベントに基づいて、第２のＵＰ構成を適用するように構成することができる。第２のＵＰ構成を適用するようにＷＴＲＵをトリガすることができる例示的なイベントは、ＷＴＲＵがソースセルおよび／またはターゲットセルから制御メッセージを受信することであることができる。時間Ｔ３において、ＷＴＲＵは、第２のＵＰ構成に基づいて、ターゲットセルと関連付けられたＵＰエンティティ（ＲＬＣ７３０）をインスタンス化するように構成することができる。時間Ｔ３において、ＷＴＲＵは、ソースセルおよびターゲットセルの両方からのＰＤＣＰ  ＰＤＵを処理するように、ＰＤＣＰエンティティ７２０を構成することができる。例えば、ＰＤＣＰエンティティ７２０は、（例えば、ＲＬＣエンティティ７１４、７２８から受信したＰＤＵのための、ソースセルと関連付けられたセキュリティコンテキストを使用して、またＲＬＣエンティティ７３０から受信したＰＤＵのための、ターゲットセルと関連付けられたセキュリティコンテキストを使用して）ソースサービングセルおよびターゲットサービスセルの各々に固有のセキュリティ機能（例えば、暗号化およびインテグリティ）を適用することができる。例えば、ＰＤＣＰエンティティ７２０は、与えられたベアラのために、ソースセルおよびターゲットセルの両方から受信したＰＤＵに対して、共通の並べ替え機能を適用することができる。段階的再構成が完了した後の時間Ｔ４において、ＷＴＲＵは、ターゲットセルと関連付けられたプロトコルエンティティ（Ｌ１  ７２２、ＭＡＣ７２４、ＲＬＣ７３０、ＰＤＣＰ７３４）を用いるように構成される。段階的再構成の後の時間Ｔ４において発生することができる、図７に示されていない例においては、ＷＴＲＵは、ソースセルとのデータ送信を続行するために、ＵＰエンティティをインスタンス化する、第３のＵＰ構成を用いるように構成することができる。例においては、第３のＵＰ構成は、デュアルコネクティビティ（ＤＣ）と関連して、ＳＣＧ構成と関連付けることができる。
【０１２５】
別の例においては、図８は段階的再構成の前、最中、および後の時間Ｔ１、Ｔ２、Ｔ３、およびＴ４における、ソースセルのプロトコルエンティティのプロトコルエンティティ構成８０１、ターゲットセルのプロトコルエンティティのプロトコルエンティティ構成８０２、およびＷＴＲＵのプロトコルエンティティのプロトコルエンティティ構成８０３を示している。段階的再構成の前の時間Ｔ１において、ＷＴＲＵは、ソースセルと関連付けられたプロトコルエンティティ（Ｌ１  ８１０、ＭＡＣ８１２、ＲＬＣ８１４、ＰＤＣＰ８１６）を用いるように構成される。ＷＴＲＵがネットワーク（例えば、ソースセル）から再構成コマンドを受信することができる段階的再構成の最中の時間Ｔ２において、ＷＴＲＵは、ターゲットセルと関連付けられたＵＰエンティティ（Ｌ１  ８２２、ＭＡＣ８２４、ＲＬＣ８２６）に第１のＵＰ構成を適用するように構成することができる。したがって、ＷＴＲＵは、ターゲットセルのためのＵＰエンティティ（Ｌ１  ８２２、ＭＡＣ８２４、ＲＬＣ８２６）をインスタンス化し、第１のＵＰ構成と関連付けられたＭＡＣおよびＲＬＣ構成を適用することができ、ベアラごとに順序通りの配送および重複検出が実行されるように、与えられたベアラに対して共通の並べ替えおよび／または順序付け機能を適用することができる。時間Ｔ２において、ＷＴＲＵにおいては、ネットワーク内における両方の（すなわち、ソース構成８０１およびターゲット構成８０２における）アクティブなＰＤＣＰエンティティのためのＰＤＣＰエンティティ８２０が存在する。時間Ｔ２において、暗号化（暗号解除）およびインテグリティ保護機能を実行するためのＷＴＲＵ構成は、セルグループに固有であることができる（すなわち、１つはソース用、もう１つはターゲット用の、ベアラことに別々の２つの機能）。例えば、時間Ｔ２において、ＷＴＲＵは、ＰＤＣＰ  ＰＤＵがそこから受信されるＲＬＣエンティティ８１４または８２６に基づいて、異なるセキュリティ鍵を適用するように、ＰＤＣＰエンティティ８２０を構成することができる。例えば、ＰＤＣＰエンティティ８２０は、ソースセルと関連付けられたＲＬＣエンティティ８１４から配送されたＰＤＵに対して第１のセキュリティ鍵を、またターゲットセルと関連付けられたＲＬＣエンティティ８２６から配送されたＰＤＵに対して第２のセキュリティ鍵を適用することができる。別の例においては、ＷＴＲＵは、ＰＤＣＰヘッダ内のインジケーションに基づいて、異なるセキュリティ鍵を適用するように、ＰＤＣＰエンティティ８２０を構成することができ、例えば、ＰＤＣＰヘッダは、ＰＤＣＰ  ＰＤＵを処理するために適用される必要がある、セキュリティコンテキストを識別することができる、論理インデックスを運ぶことができる。別の例においては、ＷＴＲＵは、事前構成された範囲のＰＤＣＰシーケンス番号に基づいて、異なるセキュリティ鍵を適用するように、ＰＤＣＰエンティティ８２０を構成することができる。第１のＵＰ構成のＵＰエンティティ（Ｌ１  ８２２、ＭＡＣ８２４、ＲＬＣ８２６）への適用の成功時、ＷＴＲＵは、すでに実行されていない場合は、ターゲットセル向けのデータ送信および／または初期アクセスを開始するように構成することができる。
【０１２６】
時間Ｔ３において、ＷＴＲＵは、例えば、上で説明された第２のＵＰ構成の特性に関連する、１つまたは複数のイベントに基づいて、第２のＵＰ構成を適用するように構成することができる。ＷＴＲＵは、第２のＵＰ構成に基づいて、ターゲットセルと関連付けられたＵＰエンティティ（Ｌ１  ８２２、ＭＡＣ８２４、ＲＬＣ８２６）をインスタンス化することができ、ＷＴＲＵは、ソースセル（Ｌ１  ８１０、ＭＡＣ８１２、ＲＬＣ８１４）と関連付けられた暗号化（暗号解除）およびインテグリティ保護機能を除去するように構成することができ、それは、順序が狂ったＰＤＵを回復した後に、発生することができる。
【０１２７】
段階的再構成中のセキュリティハンドリングの例が、以下で与えられる。例においては、ＷＴＲＵは、セキュリティコンテキスト格上げを実行することができる。ＷＴＲＵは、セカンダリセキュリティコンテキスト（例えば、それから導出されたＳ−ＫｅＮＢおよびＵＰ、ＣＰ鍵）を使用して、ターゲットセルへの／からの送信／受信のための暗号化およびインテグリティ保護を適用するように構成することができる。例においては、セカンダリセキュリティコンテキストは、プライマリセキュリティコンテキスト（例えば、ソースセルと関連付けられたＫｅＮＢ）、およびカウンタ値（例えば、ＳＣＧカウンタ）から導出することができる。例においては、ＷＴＲＵは、セカンダリセキュリティコンテキストをプライマリセキュリティコンテキストに格上げするように（すなわち、段階的再構成中にＳ−ＫｅＮＢをＫｅＮＢに格上げするように）構成することができる。例においては、ＷＴＲＵは、Ｓ−ＫｅＮＢをＫｅＮＢに格上げし、ターゲットセル向けのＳＲＢ１／ＳＲＢ２の確立のための初期制御メッセージ交換の保護のために、そのようなＫｅＮＢを使用することができる。ＷＴＲＵは、セキュリティ鍵の明示的な再構成が、ターゲットセルから受信されるまで、そのようなＫｅＮＢを使用し続けることができる。セキュリティコンテキストの格上げは、新しいコンテキストをセットアップするための中断／シグナリングオーバヘッドを低減させることができる。ＷＴＲＵは、（例えば、格上げされたＫｅＮＢ、およびモビリティコマンドで伝達されたＮＣＣを使用する）後続のモビリティイベント中に、別のターゲットセルのためのセキュリティコンテキストを導出するための基礎として、格上げされたセキュリティコンテキストを使用するように構成することができる。
【０１２８】
段階的再構成中における障害ハンドリングならびに例外および制限の例が、以下で与えられる。例においては、中断が０ｍｓに近い必要があるモビリティと関連して、再確立手順と関連付けられた過度になることがある遅延が、存在することがある。段階的再構成を用いると、成功したモビリティ手順と関連付けられた中断は、除去する（すなわち、０ｍｓまで低減させる）ことができる。モビリティ手順中における障害（例えば、ＲＡＣＨ障害が原因で、ＷＴＲＵがターゲットセルにアクセスすることができないこと、ＷＴＲＵモビリティが原因で、ターゲットセルがもはや適していないこと）は、完全には回避可能であることはできない。失敗したモビリティ手順によって引き起こされた中断は、０ｍｓの中断を期待するサービスに対して、著しい影響を有することがある。したがって、失敗したモビリティ手順と関連付けられた中断を低減させることが、より重要であることがある。ＷＴＲＵは、段階的再構成手順の間に、エラー／障害が発生したこと（例えば、事前構成された時間（例えば、Ｔ３０４）内に、段階的再構成手順を完了することができないとき、またはＷＴＲＵが段階的再構成と関連付けられた構成の一部に準拠することができないとき）を決定することができる。
【０１２９】
例においては、ＷＴＲＵは、モビリティ手順中における障害から回復するために、疑似マルチコネクティビティを用いる高度化された再確立手順を実行するように構成することができる。例えば、ＷＴＲＵは、高度化された再確立手順のために準備された、事前構成されたＳＣＧと関連付けられた、一時中断されたＳＲＢを再開することができる。例においては、ＷＴＲＵは、高度化された再確立手順のために、１つまたは複数のＳＣＧを用いるように明示的に構成することができる。別の例においては、ＷＴＲＵは、再確立のためにｇＮＢが準備されたことを暗黙的に決定するように構成することができる。例えば、ＷＴＲＵは、同じＲＡＮエリア内のすべてのｇＮＢを、高度化された再確立のための候補と見なすことができる。別の例においては、ＷＴＲＵは、事前構成されたＳＣＧの各々と関連付けられた、ＳＲＢおよびセキュリティコンテキストを用いるように構成することができ、事前構成は、疑似マルチコネクティビティを提供することができる（例えば、ＷＴＲＵコンテキストは、事前構成されたＳＣＧの各々において、利用可能であることができる）。ＷＴＲＵは、専用プリアンブルの送信によって、一時中断されたＳＲＢのアクティブ化を実行することができる。ｇＮＢが高度化された再確立のための候補ではないとＷＴＲＵが決定した場合、ＷＴＲＵは、通常の（高度化されていない）再確立を実行することができる。
【０１３０】
上では特徴および要素が特定の組み合わせで説明されたが、各特徴または要素は、単独で使用することができ、または他の特徴および要素との任意の組み合わせで使用することができることを当業者は理解されよう。加えて、本明細書において説明された方法は、コンピュータおよび／またはプロセッサによって実行される、コンピュータ可読媒体内に含まれる、コンピュータプログラム、ソフトウェア、またはファームウェアで実施することができる。コンピュータ可読媒体の例は、（有線または無線接続上において送信される）電子信号、およびコンピュータ可読記憶媒体を含む。コンピュータ可読記憶媒体の例は、限定されることなく、リードオンリメモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含む。ソフトウェアと関連付けられたプロセッサを使用して、ＷＴＲＵ、ＵＥ、端末、基地局、ＲＮＣ、または任意のホストコンピュータにおいて使用される、無線周波数送受信機を実施することができる。
【図１Ａ】
0006951457.tif 000007
【図１Ｂ】
0006951457.tif 000008
【図１Ｃ】
0006951457.tif 000009
【図１Ｄ】
0006951457.tif 000010
【図２】
0006951457.tif 000011
【図３】
0006951457.tif 000012
【図４】
0006951457.tif 000013
【図５】
0006951457.tif 000014
【図６】
0006951457.tif 000015
【図７】
0006951457.tif 000016
【図８】
0006951457.tif 000017